(57)【要約】  本発明は香料送達システム、こうしたシステムを含む製品、及びこの使用に関する。残念なことに、現在の香料送達システムは最も好ましい、理想的な知覚体験を常にもたらすものではない。したがって、現在の香料送達技術の難点を解消した１以上の香料送達システムが求められている。本発明のシステムは共生的な組み合わせを採用することで上記の要請に応えるものである。【特許請求の範囲】
【請求項１】
ａ）全包装重量に対して、０．００１％〜１０％、好ましくは０．０３％〜３％、より好ましくは０．０３％〜０．３％の自由香料、及び／又は、０．００１％〜５０％、好ましくは０．０１％〜２０％、より好ましくは０．０１％〜５％の香料包装送達システムを所望により含む包装と、
ｂ）全製品マトリックス重量に対して、０．００１％〜３０％、好ましくは０．０５％〜１０％、より好ましくは０．１％〜３％の自由香料、及び／又は、０．００１％〜６０％、好ましくは０．０５％〜２５％、より好ましくは０．１％〜８％の香料送達システムを含む製品マトリックスと、
を含む、包装された製品。
【請求項２】
前記包装用の自由香料と香料送達システムの比が、１：１００〜２０：１、好ましくは１：２０〜１０：１、より好ましくは１：１０〜５：１であり、かつ、前記製品マトリックス用の自由香料と香料送達システムの比が、１：１０００〜２０：１、好ましくは１：２０〜１０：１、より好ましくは１：１０〜５：１である、請求項１に記載の包装された製品。
【請求項３】
前記香料包装送達システムが、ホットメルト送達システム、香料充填プラスチック、及びこれらの混合物からなる群から選択される材料を含み、前記製品マトリックスが、自由香料、ポリマー支援型送達、分子支援型送達、アミン支援型送達、シクロデキストリン、デンプン封入アコード、ゼオライト／無機担体システム、プロ香料システム、及びこれらの混合物からなる群から選択される香料材料を含む、請求項１又は２に記載の包装された製品。
【請求項４】
前記包装が、ホットメルト送達システム、香料充填プラスチック、及びこれらの混合物からなる群から選択される香料包装送達システムを含み、前記製品マトリックスが、自由香料、香料マイクロカプセル、シクロデキストリン、デンプン封入アコード、水誘因プロ香料、ナノラテックス、シリコーン支援型送達、ポリマー性アミン支援型送達、封入又はコーティングされた香料充填ゼオライト、香料充填チューブ、アミン反応生成物、光プロ香料、及びこれらの混合物からなる群から選択される香料材料を含む、請求項１〜３のいずれか一項に記載の包装された製品。
【請求項５】
前記製品マトリックスが液体であり、前記製品マトリックスが全製品マトリックス重量に対し、０．００１％〜３０％、好ましくは０．０５％〜１０％、より好ましくは０．１％〜３％の自由香料、及び／又は、０．００１％〜３０％、好ましくは０．０５％〜１５％、より好ましくは０．１％〜５％の１以上の香料送達システムを含む、請求項１〜４のいずれか一項に記載の包装された製品。
【請求項６】
前記製品マトリックスが、全製品マトリックス重量に対し、２％〜９９．９％、好ましくは５％〜９９％、より好ましくは１０％〜９８％、より好ましくは２０％〜９５％、最も好ましくは２５％〜９０％の水と、自由香料、ポリマー支援型送達、アミン支援型送達、プロ香料、分子支援型送達、ゼオライト／無機担体システム、及びこれらの混合物からなる群から選択される香料材料とを含む、請求項１〜５のいずれか一項に記載の包装された製品。
【請求項７】
前記製品マトリックスが、１５００未満、好ましくは１５００未満から８００まで、より好ましくは１４００未満から１０００までのコバッツ・インデックスを有する香料を含む自由香料、シクロデキストリン、デンプン封入アコード、水誘因プロ香料、マイクロカプセル、香料充填ゼオライト、香料充填チューブ、アミン反応生成物、光プロ香料送達システム、及びこれらの混合物からなる群から選択される香料材料を含む、請求項１〜６のいずれか一項に記載の包装された製品。
【請求項８】
前記製品マトリックスが、非水性液と、自由香料、シクロデキストリン、デンプン封入アコード、ポリマー支援型送達、プロ香料、ポリマー支援型送達、分子支援型送達、アミン支援型送達、ゼオライト／無機担体送達システム、及びこれらの混合物からなる群から選択される香料材料とを含む、請求項１〜７のいずれか一項に記載の包装された製品。
【請求項９】
前記包装が、ホットメルト送達システム、香料充填プラスチック、及びこれらの混合物からなる群から選択される香料包装送達システムを含み、前記製品マトリックスが、全製品マトリックス重量に対し、２％〜９９．９％、好ましくは５％〜９９％、より好ましくは１０％〜９８％、より好ましくは２０％〜９５％、最も好ましくは２５％〜９０％の非水性液と、１５００未満、好ましくは１５００未満から８００まで、より好ましくは１４００未満から１０００までのコバッツ・インデックス値を有するＰＲＭを有する自由香料、シクロデキストリン、デンプン封入アコード、水誘因プロ香料、マイクロカプセル、香料充填ゼオライト、香料充填チューブ、アミン反応生成物、光プロ香料送達システム、及びこれらの混合物からなる群から選択される香料材料とを含む、請求項１〜８のいずれか一項に記載の包装された製品。
【請求項１０】
前記製品マトリックスが、全製品マトリックス重量に対し、０．００１％〜３０％、好ましくは０．０５％〜１０％、より好ましくは０．１％〜３％の自由香料、及び／又は、０．００１％〜３０％、好ましくは０．０５％〜１５％、より好ましくは０．１％〜５％の１以上の香料送達システムを含む、固体の前記製品マトリックスを含む、請求項１〜４及び６〜９のいずれか一項に記載の包装された製品。
【請求項１１】
前記包装が、ホットメルト送達システム、香料充填プラスチック、及びこれらの混合物からなる群から選択される香料包装送達システムを含み、前記製品マトリックスが、固体を含み、前記製品マトリックスが、自由香料、シクロデキストリン、デンプン封入アコード、ポリマー支援型送達、プロ香料、分子支援型送達、アミン支援型送達、ゼオライト／無機担体送達システム、及びこれらの混合物からなる群から選択される香料材料を含む、請求項１〜４及び６〜１０のいずれか一項に記載の包装された製品。
【請求項１２】
前記製品マトリックスが、固体を含み、前記製品マトリックスが、１５００未満、好ましくは１５００未満から８００まで、より好ましくは１４００未満から１０００までのコバッツ・インデックス値を有するＰＲＭを有する自由香料、シクロデキストリン、デンプン封入アコード、水誘因プロ香料、マイクロカプセル、香料充填ゼオライト、香料充填チューブ、アミン反応生成物、光プロ香料、及びこれらの混合物からなる群から選択される香料材料を含む、請求項１〜４及び６〜１１のいずれか一項に記載の包装された製品。
【請求項１３】
前記製品マトリックスが、１５００未満、好ましくは１５００未満から８００まで、より好ましくは１４００未満から１０００までのコバッツ・インデックスを有する、全製品マトリックス重量に対して、０．０００１％〜６０％、好ましくは０．００５％〜２５％、更に好ましくは０．０１％〜８％の前記香料を含む、請求項１〜１２のいずれか一項に記載の包装された製品。
【請求項１４】
前記包装により包装された装置を含み、前記包装が、自由香料、１以上の香料送達システム、及びこれらの混合物からなる群から選択される香料包装送達システムを含み、前記装置が、全装置重量に対し、０．００１％〜３０％、好ましくは０．０５％〜１０％、より好ましくは０．１％〜３％の自由香料、及び／又は、０．００１％〜３０％、好ましくは０．０５％〜１５％、より好ましくは０．１％〜５％の香料送達システムを含む、請求項１〜４及び６〜９のいずれか一項に記載の包装された製品。
【請求項１５】
前記包装により包装された装置を含み、前記包装が、自由香料、シクロデキストリン、デンプン封入アコード、ポリマー支援型送達、プロ香料、分子支援型送達、アミン支援型送達、ゼオライト／無機担体送達システム、及びこれらの混合物からなる群から選択される香料包装送達システムを含む、請求項１〜４、６〜９、及び１４のいずれか一項に記載の包装された製品。
【請求項１６】
前記装置が、自由香料、シクロデキストリン、デンプン封入アコード、マイクロカプセル、香料充填ゼオライト、香料充填チューブ、アミン反応生成物、光プロ香料、及びこれらの混合物からなる群から選択される香料材料を含む、請求項１〜４、６〜９、１４、及び１５のいずれか一項に記載の包装された製品。
【請求項１７】
香料マイクロカプセル、及びマトリックスシステム、及び／又はアミン支援型送達システムを含む、請求項１〜１６のいずれか一項に記載の包装された製品。
【請求項１８】
プロ香料、及び香料マイクロカプセル、マトリックスシステム、及び／又はアミン支援型送達システムを含む、請求項１〜１７のいずれか一項に記載の包装された製品。
【請求項１９】
前記プロ香料が、光プロ香料を含む、請求項１〜１８のいずれか一項に記載の包装された製品。
【請求項２０】
ナノチューブを含む、請求項１〜１９のいずれか一項に記載の包装された製品。
【請求項２１】
ポリマー支援型送達システム、アミン支援型送達システム、アミン反応生成物、シクロデキストリン、デンプン封入アコード、香料充填ゼオライト、コーティングされた香料充填ゼオライト、プロ香料、及びこれらの混合物からなる群から選択される材料を含む、請求項１〜２０のいずれか一項に記載の包装された製品。
【発明の詳細な説明】
【技術分野】
【０００１】
本発明は、香料送達システム、こうしたシステムを含む製品、及びこの使用に関するものである。
【背景技術】
【０００２】
消費者製品等の製品は香料システムを含むように設計、及び／又は構成されることが一般的である。こうした製品を選択、及び使用する消費者は通常、少なくとも３回のモーメント・オブ・トゥルース（決定的瞬間）を体験する。第１のモーメント・オブ・トゥルースは通常購買時点であり、第２のモーメント・オブ・トゥルースは通常、製品の適用、及び使用とともに始まり、第３のモーメント・オブ・トゥルースは通常、製品の適用及び使用の直後に始まる。
【０００３】
残念なことに、現在の香料送達システムはこうしたモーメント・オブ・トゥルースに際して最も好ましい、理想的な知覚体験を常に与えるものではない。したがって現在の香料送達技術の問題点を解消した１以上の香料送達システムが求められている。本発明の香料システムは上記の要請に応えたものである。
【発明の開示】
【発明が解決しようとする課題】
【０００４】
香料送達システム
こうした香料添加製品を選択、及び使用する消費者は、製品使用プロファイルにおける複数の接触点において、製品にどの程度満足しているかに関して決定的な判断を下す。多くの接触点が知られているが、出願人等はこうした接触点が一般的な消費者によって体験される製品に関する３つのモーメント・オブ・トゥルースに有利に分類、及び表現されることを見出した。ＦＭＯＴは通常、購入時点であり、ＳＭＯＴは通常、製品の適用、及び使用で始まり、ＴＭＯＴは通常、製品の適用、及び使用の直後に始まる。出願人等は、製品の包装が知覚体験を阻害することによって消費者のＦＭＯＴが悪影響を受けることを認識するに到った。例えば、製品の包装によって製品の開封が困難となったり、開封した際にこぼれやすい製品が露出したりする。更に、配合成分が未希釈の製品の匂いを抑制、及び／又は変質させる可能性がある。更に出願人は、製品の保存時に揮発性のＰＲＭが失われ、使用に際してのブルームが低減することで消費者のＳＭＯＴが悪影響を受けることを認識するに到った。ＴＭＯＴのために高濃度の香料を添加することで上記の難点を克服した場合、使用時の香り体験を変質させ、香料のブルームが刺激性となったり強くなりすぎ、及び／又は香料の性質が好ましいものでなくなる可能性がある。更に出願人等は、処理された部位から香料が放出されるにしたがって、特に乾燥衣類において長期間では第１、及び第２のモーメント・オブ・トゥルースにおける香り体験を変質させるような製品中の香料濃度が必要となることを認識するに到った。更に、ＳＭＯＴ、及びＴＭＯＴのために高濃度の香料を添加することによって未希釈の製品の匂いを変質させ、なお、及び洗浄時に充分な香料の蓄積が実現されない場合がある。更に、乾燥時に起こる香料の蒸発によって衣類の香料濃度が低下し、及び／又は、乾燥衣類に残留する香料によって初期には乾燥衣類の匂いの効果をもたらすもののこうした香料は速やかに放散し充分な香り持続性の効果が得られない場合がある。更に、衣類に残る香料の衣類からの放出が遅すぎる場合がある。上述したように、毛髪や皮膚などの他の部位への香料の送達、及び当該部位からの香料の放出についても同様なことがあてはまりうる。香料の放出に気付く可能性は、毛髪の長さ、皮膚の上に纏った衣類、部位の洗浄頻度等の異なる要因によって影響される。洗浄又はリンス又は適用時に蓄積、及び放出が変動する点は、異なるモーメント・オブ・トゥルースにおける香り体験に悪影響を及ぼしうる。処理又は適用の回数も影響を及ぼしうるものであり、例えば、特定の部位の最初の洗浄後には、後の洗浄後と比較して異なる強度、及び／又は特性が知覚される場合がある。更に、芳香強度、及び／又は特性は、香料がコーティングされた製品で処理を行った乾燥した部位と比較して濡れた部位では異なって知覚されうる。理論に束縛されるものではないが、乾燥時の蒸発による香料の損失以外にも、香料は特定の接触点において綿繊維、毛髪、皮膚等の部位に吸収されたり分割されたりすることによって充分に利用されなくなる場合がある。部位の含水量によっても香料の放出プロファイル又は放出速度が変動しうる。
【０００５】
最後に、出願人等は、１又は２つのモーメント・オブ・トゥルースに関連する上記の問題点の解決策は、残りのモーメント・オブ・トゥルースに関連する問題点を解決するには不充分であるか、他のモーメント・オブ・トゥルースに悪影響を及ぼす可能性があることを認識するに到った。
【課題を解決するための手段】
【０００６】
用語の定義
本明細書で用いる「ＦＭＯＴ」とは、第１のモーメント・オブ・トゥルースを意味する。
【０００７】
本明細書で用いる「ＳＭＯＴ」とは、第２のモーメント・オブ・トゥルースを意味する。
【０００８】
本明細書で用いる「ＴＭＯＴ」とは、第３のモーメント・オブ・トゥルースを意味する。
【０００９】
本明細書で用いる「ＰＲＭ」とは香料の原材料を意味する。
【００１０】
本明細書で用いる「香料送達システム」には、単一の香料送達技術、及び／又は複数の香料送達技術の組み合わせが含まれる。
【００１１】
本明細書で用いる「香料システム」、及び「香料送達システム」とは同義である。
【００１２】
本明細書で用いる「消費者製品」には、特に断らない限り、販売される形態での使用又は消費を意図し、後の商業的製造又は改変を意図しない物品、ベビーケア、ビューティケア、衣類、及びホームケア、ファミリーケア、フェミニンケア、ヘルスケア、スナック、及び／又は飲料製品又は装置が含まれる。こうした製品には、これらに限定されるものではないが、おむつ、よだれかけ、拭取り布；漂白、着色、染色、コンディショニング、シャンプー、スタイリングといった処理を毛髪（ヒト、イヌ、及び／又はネコ）に行うための製品、及び／又はこれに関する方法；脱臭剤、及び制汗剤；洗浄剤、保湿洗浄剤、及びこれらの組み合わせ等の個人用洗浄製品；化粧品；クリーム、ローション、ムース、美容パック、角質除去剤、剥離剤、及びこれらの組み合わせ等のスキンケア製品；装置補助型毛髪除去製品等の毛髪除去製品；ヒゲソリ製品；並びに消費者用の他の局所適用製品；空気のケア、自動車のケア、皿洗い、衣類のコンディショニング（柔軟化等）、洗濯用洗剤、洗濯用、及びリンス用添加剤、及び／又はケア、硬い表面のクリーニング、及び／又は処理、及び消費者又は業務用の他のクリーニング製品等の、衣類、硬い表面並びに衣類、及びホームケアの分野の他のあらゆる表面の処理を行うための製品、及び／又はこれに関する方法；トイレットペーパー、フェイシャルティシュー、ペーパーハンカチーフ、及び／又はペーパータオルに関する製品、及び／又は方法；タンポン、女性用ナプキン；歯磨き粉、歯磨き用ジェル、歯磨き用リンス、入れ歯用接着剤、歯の漂白剤等のオーラルケアに関する製品、及び／又は方法；咳、及び風邪の治療薬、痛み止め、ペットのヘルス、及び栄養、浄水等の市販ヘルスケア製品；主として普段の食事の間における消費又は食事の不随食品としての消費を意図した加工食品（非限定的な例としては、ポテトチップス、トルティーヤチップス、ポップコーン、プレッツェル、コーンチップ、シリアルバー、野菜チップス又はクリスプ、スナックミックス、パーティミックス、マルチグレインチップス、スナッククラッカー、チーズスナック、ポークラインズ、コーンスナック、ペレットスナック、押出し加工スナック、及びベーグルチップス）；並びにコーヒー、及びクリーニング、及び／又はトリートメント組成物が含まれる。
【００１３】
本明細書で用いる「クリーニング、及び／又はトリートメント組成物」なる用語には、特に断りのない限り、錠剤、顆粒又は粉末状の多目的すなわち「強力」洗浄剤、特にクリーニング洗剤；液体、ゲル又はペースト状の多目的洗浄剤、特にいわゆる強力液体型；液体高級衣類用洗剤；手洗い用皿洗い洗剤又は軽質皿洗い用洗剤、特に泡立ちのよいもの；家庭又は業務用の各種錠剤、顆粒、液体、及びリンスエイド型等の食洗機用洗剤；抗菌手洗い用洗剤、手洗い石鹸、マウスウォッシュ、入れ歯洗浄剤、自動車又はカーペット用シャンプー、トイレクリーナー等の液状の洗浄殺菌剤；ヘアシャンプー、及びヘアリンス；シャワー用ジェル、及び発泡入浴剤、及び金属洗浄剤；並びに、漂白添加剤、及び「ステインスティック」等のクリーニング補助剤、又はドライヤー付与シート、乾燥、及び湿潤型拭取り布、及びパッド等の前処理型基材付与製品、不織基材、及びスポンジ；並びにスプレイ剤、及びミスト剤が含まれる。
【００１４】
本明細書で用いる「衣類ケア組成物」なる用語には、特に断りのない限り、衣類柔軟化組成物、衣類改善組成物、衣類フレッシュニング組成物、及びこれらの組み合わせが含まれる。
【００１５】
本明細書で用いる「固体」なる用語には、顆粒、粉末、塊、及び錠剤の製品形態が含まれる。
【００１６】
本明細書で用いる「部位（situs）」なる用語には、紙製品、繊維、衣服、硬い表面、毛髪、及び皮膚が含まれる。
【００１７】
本明細書において冠詞「ａ」、及び「ａｎ」を請求項で用いる場合、特許請求又は明細書に記載されるものの１以上を意味するものと解釈される。
【００１８】
本発明の目的において、及び特に断りのない限り、「モノマー支援型送達」、及び「物質支援型送達」なる用語は「分子支援型送達」なる用語の範囲に含まれるものである。
【００１９】
本発明の目的において、及び特に断りのない限り、「分子」、及び「非ポリマー」なる用語は、「モノマー」なる用語の範囲に含まれるものである。
【００２０】
本発明の目的において、及び特に断りのない限り、「香料ナノカプセル」、及び「マイクロカプセル」なる用語は「香料マイクロカプセル」なる用語の範囲に含まれるものである。
【００２１】
特に記載のない限り、成分又は組成物の濃度はすべて、その構成成分又は組成物の活性レベルに関して記述されるものであり、市販の供給源に存在しうる残留溶媒や副生成物などの不純物は除外される。
【００２２】
百分率、及び比率は特に断りのない限りすべて重量で計算される。すべての百分率、及び比率は、特に断りのない限り製品、及び製品のマトリックス組成物を含む、包装された製品の全体に基づいて計算される。
【００２３】
本明細書全体を通じて記載されるすべての最大数値の限定は、これ未満の数値の限定が明細書中に明記されているのとまったく同様に、より小さな数値の限定をすべて含むものとして理解されなければならない。本明細書全体を通じて記載されるすべての最小数値の限定は、これよりも大きい数値の限定が明細書中に明記されているのとまったく同様に、より大きな数値の限定をすべて含むものである。本明細書全体を通じて記載される数値範囲は、これよりも狭い数値範囲がすべて明細書中に明記されているのとまったく同様に、そのより広い数値範囲内に含まれるより狭い数値範囲をすべて含むものである。
【００２４】
本明細書に開示される寸法、及び値は、記載される数値そのものに厳密に限定されるものとして解釈されるべきではない。むしろ特に断りのない限り、こうした寸法のそれぞれは、記載される値、及びこの値の周辺の機能的に等価な範囲のいずれをも意味するものとする。例えば「４０ｍｍ」として開示される寸法は「約４０ｍｍ」を意味するものとする。
【００２５】
香料送達システムとしても知られる以下に述べる香料送達技術（ＰＤＴ）は、あらゆる種類の消費者製品において任意の組み合わせで使用することができる。
【００２６】
ポリマー支援型送達（ＰＡＤ）：この香料送達技術は、香料物質を送達するうえでポリマー性材料を用いるものである。古典的なコアセルベーション、水溶性又は部分水溶性〜非水溶性の荷電又は中性ポリマー、液晶、ホットメルト、ヒドロゲル、香料付与プラスチック、マイクロカプセル、ナノ−、及びマイクロラテックス、ポリマー性フィルム形成剤、ポリマー性吸収剤、ポリマー性吸着剤等が一部の例である。ＰＡＤにはこれらに限定されるものではないが、以下のものが含まれる。
【００２７】
マトリックスシステム：フレグランスはポリマーマトリックス又は粒子中に溶解又は分散される。香料は例えば、１）製品に配合する前にポリマー中に分散するか、又は２）製品の配合時又は配合後にポリマーとは別に添加すればよい。ポリマーからの香料の拡散は、所望の表面（部位）に付着又は塗布されたポリマー性マトリックスシステムからの香料の放出を可能とするかその放出速度を増大させるうえで一般的な誘因であるが、香料の放出を制御する他の多くの誘因が知られている。ポリマー性粒子、フィルム、溶液等の内部又は外部への吸収、及び／又は吸着はこの技術の側面である。有機材料（例、ラテックス）からなるナノ−又はマイクロ粒子がその例である。好適な粒子としては、これらに限定されるものではないが、ポリアセタール、ポリアクリレート、ポリアクリリック、ポリアクリロニトリル、ポリアミド、ポリアリールエーテルケトン、ポリブタジエン、ポリブチレン、ポリブチレンテレフタレート、ポリクロロプレン、ポリエチレン、ポリエチレンテレフタレート、ポリシクロヘキシレンジメチレンテレフタレート、ポリカーボネート、ポリクロロプレン、ポリヒドロキシアルカノエート、ポリケトン、ポリエステル、ポリエチレン、ポリエーテルイミド、ポリエーテルスルホン、ポリエチレンクロリネート、ポリイミド、ポリイソプレン、ポリ乳酸、ポリメチルペンテン、ポリフェニレンオキシド、ポリフェニレンスルフィド、ポリフタルアミド、ポリプロピレン、ポリスチレン、ポリスルホン、ポリ酢酸ビニル、ポリ塩化ビニル、並びにアクリロニトリル−ブタジエン、酢酸セルロース、エチレン−酢酸ビニル、エチレンビニルアルコール、スチレン−ブタジエン、酢酸ビニル−エチレン、及びこれらの混合物等に基づいたポリマー又はコポリマー等の広範な材料が挙げられる。
【００２８】
「標準的な」システムとは、ポリマーに結合した予備充填された香料を香料の放出の瞬間まで保持することを意図して香料で予備充填されたもののことを指す。こうしたポリマーは又、未希釈の製品の匂いを抑制し、香料の放出速度に応じてブルーム、及び／又は持続性の効果を与えうる。こうしたシステムにおける課題の１つは、１）製品内安定性（必要時まで担体内部に香料を保持すること）と、２）適時放出（使用時又は乾燥部位から）との理想的なバランスを実現することである。こうした安定性の実現は、製品内保存時、及び製品のエイジング時に特に重要である。この課題は、強力液体洗濯用洗剤等の、水ベースの界面活性剤含有製品において特に明らかである。利用可能な多くの「標準的」マトリックスシステムは、水ベースの製品に配合した場合に効果的に「平衡」システムとなる。許容される製品内拡散安定性、及び放出のための利用可能な誘因（例、摩擦）を有する、「平衡」システム又はリザーバシステムを選択することができる。「平衡」システムとは、香料、及びポリマーを製品に別々に添加することが可能であり、香料とポリマーとの間の平衡相互作用によって１以上の消費者接触点において効果をもたらすものである（これに対して、ポリマー支援型送達技術のない自由香料制御がある）。このポリマーも香料で予備充填することができるが、香料の一部又は全部が製品内保存時に拡散し、所望の香料原材料（ＰＲＭ）がポリマーに結合した平衡状態に達する場合がある。するとポリマーは香料を表面へと輸送し、通常、香料が拡散することで放出が行われる。こうした平衡システムポリマーの使用は、未希釈の製品の未希釈の匂いの強度を低下させる可能性を有する（通常、予備充填された標準システムの場合に特にそうした傾向がある）。こうしたポリマーの蓄積は放出プロファイルを「平坦化」し、持続性を高めうる。上記に示したように、こうした持続性は初期の強度を抑制することによって得られ、配合者が、より高いインパクト又は低い嗅覚閾値（ＯＤＴ）又は低いコバッツ・インデックス（ＫＩ）のＰＲＭを用いて、初期の強度が強すぎたり、変質したりすることなくＦＭＯＴの効果を得ることが可能となる。所望の消費者の接触点に影響を与えるためには香料の放出は、適用のタイムフレーム内で起きることが重要である。好適なマイクロ粒子、及びマイクロラテックス並びにその製造方法は米国特許出願第２００５／０００３９８０Ａ１号に見ることができる。マトリックスシステムは更にホットメルト接着剤、及び芳香性プラスチックを含む。更に、疎水的に改質された多糖類を香料添加製品に配合することによって香料蓄積を増大させ、及び／又は香料放出を改変することができる。多糖類、及びナノラテックス等のこうしたマトリックスシステムはすべて、ＰＡＤリザーバシステム等の他のＰＡＤシステムを含む他のＰＤＴと組み合わせて香料マイクロカプセル（ＰＭＣ）の形態とすることができる。ポリマー支援型送達（ＰＡＤ）マトリックスシステムとしては下記の参考文献に記載のものがある。すなわち、米国特許出願第２００４／０１１０６４８Ａ１号、同第２００４／００９２４１４Ａ１号、同第２００４／００９１４４５Ａ１号、及び同第２００４／００８７４７６Ａ１号、並びに米国特許第６，５３１，４４４号、同第６，０２４，９４３号、同第６，０４２，７９２号、同第６，０５１，５４０号、同第４，５４０，７２１号、及び同第４，９７３，４２２号。
【００２９】
ＰＤＴとして使用することが可能なポリマーの例としてはシリコーンもあり、ポリマー支援型送達マトリックスシステムと同様にして香料効果を与えるものである。こうしたＰＤＴはシリコーン支援型送達（ＳＡＤ）と呼ばれる。シリコーンを香料で予備充填したり、シリコーンをＰＡＤについて述べたような平衡システムとして使用することができる。好適なシリコーン並びにその製造方法は、国際特許出願公開第ＷＯ２００５／１０２２６１号、米国特許出願第２００５／０１２４５３０Ａ１号、同第２００５／０１４３２８２Ａ１、及び国際特許出願公開第ＷＯ２００３／０１５７３６号に見ることができる。米国特許出願第２００６／００３９１３Ａ１号に記載されるように機能化したシリコーンを使用することも可能である。シリコーンの例としては、ポリジメチルシロキサン、及びポリアルキルジメチルシロキサンが挙げられる。他の例としてはアミン機能性を有するものがあり、これを用いてアミン支援型送達（ＡＡＤ）、及び／又はポリマー支援型送達（ＰＡＤ）、及び／又はアミン反応生成物（ＡＲＰ）に関連した効果を与えることができる。他のこうした例を米国特許第４，９１１，８５２号、米国特許出願第２００４／００５８８４５Ａ１号、同第２００４／００９２４２５Ａ１号、及び同第２００５／０００３９８０Ａ１号に見ることができる。
【００３０】
リザーバシステム：リザーバシステムはコア／シェル型技術、すなわちフレグランスが保護シェルとして機能しうる香料放出制御膜によって包囲される技術としても知られる。マイクロカプセル内部の物質がコア、内部相、又は充填物と呼ばれるのに対して、壁は時としてシェル、コーティング、又は膜と呼ばれる。マイクロ粒子、感圧カプセル又はマイクロカプセルはこうした技術の例である。本発明のマイクロカプセルは、これらに限定されるものではないが、コーティング、押出し、スプレイ乾燥、界面重合、その場での重合、及びマトリクス重合等の様々な方法によって形成される。使用可能なシェル材料は水に対する安定性が大きく異なる。最も安定したものとして、水溶液（又は製品）中に特定のＰＲＭをより長期にわたって保持することが可能なポリオキシメチレン尿素（ＰＭＵ）系材料がある。こうしたシステムにはこれらに限定されるものではないが、尿素−ホルムアルデヒド、及び／又はメラミン−ホルムアルデヒドが含まれる。例えば架橋度に応じて水に速やかに又はゆっくりと溶解するようにゼラチン系マイクロカプセルを調製してもよい。多くの他のカプセル壁材料が入手可能であり、観察される香料の拡散安定性の程度が異なっている。理論に束縛されるものではないが、例えば一旦所定の表面に付着したカプセルからの香料の放出速度は、通常、製品内の香料拡散安定性の逆の次数である。このため、例えば尿素−ホルムアルデヒド、及びメラミン−ホルムアルデヒドマイクロカプセルは通常、機械力（例、摩擦力、圧力、剪断応力）等の、カプセルを破壊して香料（フレグランス）の放出速度を増大させる、拡散以外（拡散に加えて）の放出機構を香料の放出のために必要とする。他の誘因としては、融解、溶解、加水分解又は他の化学反応、電磁放射等が挙げられる。予備充填されたマイクロカプセルの使用には、製品内安定性、及び使用時、及び／又は表面上（部位上）放出の適正な比に加えてＰＲＭの適切な選択が求められる。尿素−ホルムアルデヒド、及び／又はメラミン−ホルムアルデヒドに基づいたマイクロカプセルは特に中性に近い水溶液中で比較的安定している。これらの材料は摩擦誘因を必要とする場合があるが、これはすべての製品用途に適用できるものではない。他のマイクロカプセル材料（例、ゼラチン）は水性製品中では不安定な場合があり、製品内エイジングした場合に（自由香料制御に対して）効果が低下する場合もある擦ると香りが出る（スクラッチアンドスニッフ）技術はＰＡＤの更なる別の例である。香料マイクロカプセル（ＰＭＣ）には以下の参考文献に記載のものが含まれうる。米国特許出願第２００３／０１２５２２２Ａ１号、同第２００３／２１５４１７Ａ１号、同第２００３／２１６４８８Ａ１号、同第２００３／１５８３４４Ａ１号、同第２００３／１６５６９２Ａ１号、同第２００４／０７１７４２Ａ１号、同第２００４／０７１７４６Ａ１号、同第２００４／０７２７１９Ａ１号、同第２００４／０７２７２０Ａ１号、同第２００６／００３９９３４Ａ１号、同第２００３／２０３８２９Ａ１号、同第２００３／１９５１３３Ａ１号、同第２００４／０８７４７７Ａ１号、同第２００４／０１０６５３６Ａ１号、並びに米国特許第６，６４５，４７９Ｂ１号、同第６，２００，９４９Ｂ１号、同第４，８８２，２２０号、同第４，９１７，９２０号、同第４，５１４，４６１号、同第６，１０６，８７５号、及び同第４，２３４，６２７号、同第３，５９４，３２８号、並びに米国再発行特許第３２７１３号。
【００３１】
分子支援型送達（ＭＡＤ）：非ポリマー物質又は分子も香料の送達を向上させるうえで機能しうる。理論に束縛されるものではないが、香料は有機物質と非共有結合的に相互作用する場合があり、香料の蓄積、及び／又は放出に影響する。こうした有機物質の非限定的な例としては、これらに限定されるものではないが、有機油、ロウ、鉱物油、ペトロラタム、脂肪酸又はエステル等の疎水性物質、糖類、界面活性剤、リポソーム、更には他の香料原材料（香油）、並びにボディーオイルや他のソイル等の天然油類が挙げられる。香料定着剤は更なる別の例である。一態様では、非ポリマー性材料又は分子は約２よりも大きいＣＬｏｇＰ値を有する。分子支援型送達（ＭＡＤ）には、更に米国特許第７，１１９，０６０号、及び同第５，５０６，２０１号に記載のものが含まれうる。
【００３２】
繊維支援型送達（ＦＡＤ）：部位の選択又は使用はそれ自体香料の送達を向上させる可能性がある。実際、部位それ自体が香料送達技術でありうる。例えば、綿又はポリエステル等の異なる種類の繊維は、香料をひき付ける、及び／又は保持する、及び／又は放出する能力に関して異なる性質を有する。繊維の表面又は内部に蓄積される香料の量は、繊維の選択によって、更に繊維の履歴又は処理によって、並びにあらゆる繊維コーティング又は処理によって変化しうる。繊維は織り繊維でも不織繊維でもよく、天然繊維でも合成繊維でもよい。天然繊維には植物、動物、及び地質学的プロセスによって作られるものが含まれ、綿、リネン、黄麻、亜麻、カラムシ、サイザルアサ、及び紙や布の製造に用いられる繊維が含まれるがこれらに限定されない。繊維支援型送達は、サーモメカニカルパルプ、晒又は未晒クラフト、又は亜硫酸パルプ等の木質繊維の使用からなりうる。動物繊維は、主として絹、腱、腸線、及び毛髪（ウール等）等の特定のタンパク質からなるものである。合成化学物質に基づいたポリマー繊維には、これらに限定されるものではないが、ポリアミドナイロン、ＰＥＴ又はＰＢＴポリエステル、フェノール−ホルムアルデヒド（ＰＦ）、ポリビニルアルコール繊維（ＰＶＯＨ）、ポリ塩化ビニル繊維（ＰＶＣ）、ポリオレフィン（ＰＰ、及びＰＥ）、及びアクリルポリマーが含まれる。こうした繊維はすべて香料で予備充填し、次いで自由香料、及び／又は１以上の香料送達技術を含んでも含まなくてもよい製品に添加することができる。一態様では、香料で充填する前に繊維を製品に添加し、次いで繊維中に拡散しうる香料を製品に添加することによって繊維を香料で充填してもよい。理論に束縛されるものではないが、香料は例えば、製品の保存時に繊維表面に吸収されるか繊維内部に吸着され、後に１以上のモーメント・オブ・トゥルース又は消費者接触点において放出されうる。
【００３３】
アミン支援型送達（ＡＡＤ）：アミン支援型送達技術の手法は、アミン基を有する材料を使用することによって香料の蓄積量を増大させ、製品使用時の香料放出性を改変するものである。この手法では、製品への添加に先立って香料原材料とアミンとを予め複合又は予め反応させる必要がない。一態様では、本発明で使用するのに適したアミン含有ＡＡＤ材料は、例えばポリエチレンイミン（ＰＥＩ）等のポリアルキルイミン若しくはポリビニルアミン（ＰＶＡｍ）等の非芳香族、又は例えばアントラニレート等の芳香族であってよい。こうした材料はポリマー性又は非ポリマー性であってよい。一態様では、こうした材料には少なくとも１種類の第１級アミンが含まれる。この技術は、アミンの機能性によって低ＯＤＴの香料の香り（例、アルデヒド、ケトン、エノン）の持続性を高めるとともにその放出制御を可能とし、理論に束縛されるものではないが、更にポリマー性アミンのポリマー支援型送達による他のＰＲＭの送達を可能とするものである。この技術を用いない場合、揮発性のトップノートが失われるのが早過ぎ、トップノートに対するミドル、及びベースノートの比が高くなってしまう。ポリマー性アミンの使用により、より高濃度のトップノート、及び他のＰＲＭを使用することで未希釈の製品の匂いが理想よりも強くなりすぎないように新鮮さを持続したり、トップノート、及び他のＰＲＭをより効率的に利用することが可能となる。一態様では、ＡＡＤシステムは中性付近よりも高いｐＨにおいてＰＲＭを効果的に送達する。理論に束縛されるものではないが、ＡＡＤシステムのより多くのアミンが脱プロトン化されるような条件下では、不飽和ケトン、及びダマスコーン等のエノンを含むアルデヒド、及びケトン等のＰＲＭに対する、脱プロトン化されたアミンの親和性が高くなる可能性がある。別の一態様では、ポリマー性アミンは中性付近よりも低いｐＨにおいてＰＲＭを効果的に送達する。理論に束縛されるものではないが、ＡＡＤシステムのより多くのアミンがプロトン化されるような条件下では、アルデヒド、及びケトン等のＰＲＭに対する、プロトン化されたアミンの親和性が低くなり、幅広いＰＲＭに対してポリマー骨格の親和性が高くなる可能性がある。こうした態様では、ポリマー支援型送達によってより高い香料効果が送達されうる。すなわち、こうしたシステムはＡＡＤの下位に分類されるものであり、アミン−ポリマー支援型送達すなわちＡＰＡＤと呼ぶことができる。ｐＨが７よりも低い組成物でＡＰＡＤを用いるような場合には、こうしたＡＰＡＤシステムはポリマー支援送達（ＰＡＤ）と考えることもできる。更なる別の態様では、ＡＡＤ、及びＰＡＤシステムは陰イオン界面活性剤又はポリマー等の他の物質と相互作用してコアセルベート、及び／又はコアセルベート状のシステムを形成する。別の態様では、例えば硫黄、リン、セレニウム等の窒素以外のヘテロ原子を含む物質をアミン化合物の代わりに使用することができる。更なる別の態様では、上記の代替化合物をアミン化合物と組み合わせて使用することができる。更なる別の態様では、１個の分子がアミン部分と、例えばチオール、ホスフィン、及びセレノール等の１個以上の代替ヘテロ原子部分とを有していてもよい。好適なＡＡＤシステム並びにその製造方法は、米国特許出願第２００５／０００３９８０Ａ１号、同第２００３／０１９９４２２Ａ１号、同第２００３／００３６４８９Ａ１号、同第２００４／０２２００７４Ａ１号、及び米国特許第６，１０３，６７８号に見ることができる。
【００３４】
シクロデキストリン（ＣＤ）：この技術による手法では、環状オリゴ糖又はシクロデキストリンを用いて香料の送達を向上させる。通常は香料とシクロデキストリン（ＣＤ）との複合体を形成する。こうした複合体は、予め形成してもよく、その場で形成してもよく、部位の表面上又は内部で形成してもよい。理論に束縛されるものではないが、特に他の添加剤（例、界面活性剤）が香料とシクロデキストリンの内腔をめぐって競合するような高濃度で存在しない場合には、水の損失によって平衡状態がＣＤ−香料複合体側に移動しうる。後の時点で水との接触や含水量の増大が起こった場合にブルーム効果が得られる可能性がある。更に、シクロデキストリンによって香料の配合者によるＰＲＭの選択の柔軟性が高められる。シクロデキストリンは所望の香料安定性、蓄積、及び放出効果を得るうえで香料で予備充填しても香料とは別に添加してもよい。好適なＣＤ並びにその製造方法は、米国特許出願第２００５／０００３９８０Ａ１号、及び同第２００６／０２６３３１３Ａ１号、並びに米国特許第５，５５２，３７８号、同第３，８１２，０１１号、同第４，３１７，８８１号、同第４，４１８，１４４号、及び同第４，３７８，９２３号に見ることができる。
【００３５】
デンプン封入アコード（ＳＥＡ）：デンプン封入アコード（ＳＥＡ）技術の使用によれば、例えばデンプン等の成分を加えて液体香料を固体に変換することによって香料の性質を改変することが可能である。その効果としては、製品保存時の香料の保持率が特に非水性条件下において向上することがある。水分との接触時には香料のブルームが引き起こされうる。デンプンによって製品の配合者は、通常であればＳＥＡの非存在下では使用できないＰＲＭ又はＰＲＭの濃度を選択することが可能となることから、他のモーメント・オブ・トゥルースにおける効果が更に得られる可能性がある。別の技術の例としては、香料を液体から固体に変換するうえでシリカ等の他の有機、及び無機材料を使用することがある。好適なＳＥＡ並びにその製造方法は米国特許出願第２００５／０００３９８０Ａ１号、及び米国特許第６，４５８，７５４Ｂ１号に見ることができる。
【００３６】
ゼオライト、及び無機担体（ＺＩＣ）：この技術は香料を送達するうえで多孔質のゼオライト又は他の無機材料を使用することに関する。香料で充填したゼオライトを、例えば香料充填ゼオライト（ＰＬＺ）をコーティングするために用いられる添加剤とともに、又はこうした添加剤なしで使用して、製品保存時、又は使用時、又は乾燥した部位からの香料放出特性を変化させることが可能である。好適なゼオライト、及び無機担体並びにその製造方法は、米国特許出願第２００５／０００３９８０Ａ１号、並びに米国特許第５，８５８，９５９号、同第６，２４５，７３２Ｂ１号、同第６，０４８，８３０号、及び同第４，５３９，１３５号に見ることができる。シリカはＺＩＣの別の形態である。好適な無機担体の別の例としては無機チューブがあり、その場合香料又は他の活性物質がナノ又はマイクロチューブの内腔内に収容される。好ましくは香料で充填した無機チューブ（香料充填チューブ又はＰＬＴ）は、ハロイサイト、又はハロイサイトと他の無機材料（他の粘土等）との混合物のような、鉱物性のナノ又はマイクロチューブである。ＰＬＴ技術は、製品内拡散安定性、所望の部位への蓄積を向上させ、充填された香料の放出速度を制御する目的でチューブの内側、及び／又は外側に更なる成分を有してもよい。デンプン封入体等のモノマー性、及び／又はポリマー性材料を用いてＰＬＴをコーティング、プラギング、キャッピング又は封入することが可能である。好適なＰＬＴシステム並びにその製造方法は米国特許第５，６５１，９７６号に見ることができる。
【００３７】
プロ香料（ＰＰ）：この技術は、１以上のＰＲＭと１以上の担体との間に共有結合を有する材料を形成するために香料材料と他の基材又は化学物質とを反応させることから得られる香料技術を指す。ＰＲＭはプロＰＲＭ（すなわちプロ香料）と呼ばれる新たな材料へと変換され、これが水や光等の誘因に暴露されると最初のＰＲＭを放出する。プロ香料は、増大した香料蓄積量、持続性、安定性、保持率等の向上した香料送達特性を与えうるものである。プロ香料には、モノマー性（非ポリマー性）又はポリマー性のものがある。プロ香料は予め形成してもよく、製品内保存時又は湿潤又は乾燥部位に存在しうるような平衡条件下でその場で形成してもよい。プロ香料の非限定的な例としては、マイケル付加物（例、ベータ−アミノケトン）、芳香族又は非芳香族イミン（シッフ塩基）、オキサゾリジン、ベータ−ケトエステル、及びオルトエステルが挙げられる。別の態様には、例えばアルファ、ベータ−不飽和ケトン、アルデヒド又はカルボキシルエステル等の、ＰＲＭを放出可能な１以上のベータ−オキシ又はベータ−チオカルボニル部分を有する化合物が含まれる。香料を放出させるための一般的な誘因は水との接触であるが、他の誘因として、酵素、熱、光、ｐＨ変化、自動酸化、平衡の移動、濃度又はイオン強度の変化等がある。水ベースの製品では、光誘因プロ香料が特に適している。こうした光プロ香料（ＰＰＰ）には、これらに限定されるものではないが、誘発時にクマリン誘導体、及び香料、及び／又はプロ香料を放出するものが含まれる。放出されたプロ香料は、上記に述べた誘因のいずれかによって１以上のＰＲＭを放出しうる。一態様では、光プロ香料は、光、及び／又は水分誘因に暴露された場合に窒素系プロ香料を放出する。別の態様では、光プロ香料から放出された窒素系プロ香料は、例えばアルデヒド、ケトン（エノンを含む）、及びアルコールから選択される１以上のＰＲＭを放出する。更なる別の態様では、ＰＰＰはジヒドロキシクマリン誘導体を放出する。光誘因プロ香料は、クマリン誘導体、及び香料アルコールを放出するエステルであってもよい。一態様では、プロ香料は米国特許出願第２００６／００２０４５９Ａ１号に記載のジメトキシベンゾイン誘導体である。別の態様では、プロ香料は電磁放射に暴露されるとアルコールを放出する３’，５’−ジメトキシベンゾイン（ＤＭＢ）誘導体である。更なる別の態様では、プロ香料は、リナロール、テトラヒドロリナロール、又はジヒドロミルセノール等の第３級アルコールを含む１以上の低ＯＤＴのＰＲＭを放出する。好適なプロ香料並びにその製造方法は、米国特許第７，０１８，９７８Ｂ２号、同第６，９８７，０８４Ｂ２号、同第６，９５６，０１３Ｂ２号、同第６，８６１，４０２Ｂ１号、同第６，５４４，９４５Ｂ１号、同第６，０９３，６９１号、同第６，２７７，７９６Ｂ１号、同第６，１６５，９５３号、同第６，３１６，３９７Ｂ１号、同第６，４３７，１５０Ｂ１号、同第６，４７９，６８２Ｂ１号、同第６，０９６，９１８号、同第６，２１８，３５５Ｂ１号、同第６，１３３，２２８号、同第６，１４７，０３７号、同第７，１０９，１５３Ｂ２号、同第７，０７１，１５１Ｂ２号、同第６，９８７，０８４Ｂ２号、同第６，６１０，６４６Ｂ２号、及び同第５，９５８，８７０号、並びに米国特許出願第２００５／０００３９８０Ａ１号、及び同第２００６／０２２３７２６Ａ１号に見ることができる。
【００３８】
アミン反応生成物（ＡＲＰ）：本願の目的では、ＡＲＰはＰＰの下位に分類されるものである。アミン官能基が１以上のＰＲＭと予備反応してアミン反応生成物（ＡＲＰ）を生成することから、「反応性」ポリマー性アミンという呼び方をすることもできる。一般に、反応性アミンは第１級、及び／又は第２級アミンであり、ポリマー又はモノマー（非ポリマー）の一部でありうる。こうしたＡＲＰは更なるＰＲＭと混合することでポリマー支援型送達、及び／又はアミン支援型送達の効果を与えることも可能である。ポリマー性アミンの非限定的な例としては、ポリエチレンイミン（ＰＥＩ）等のポリアルキルイミン又はポリビニルアミン（ＰＶＡｍ）に基づいたポリマーが挙げられる。モノマー性（非ポリマー性）アミンの非限定的な例としては、２−アミノエタノール、及びこのアルキル置換誘導体等のヒドロキシルアミン類、並びにアントラニレート等の芳香族アミン類が挙げられる。ＡＲＰは香料と予め混合してもよく、リーブオン又はリンスオフの用途では香料と別に添加してもよい。別の態様では、例えば酸素、硫黄、リン又はセレニウム等の窒素以外のヘテロ原子を含む物質をアミン化合物の代わりに使用することができる。更なる別の態様では、上記の代替化合物をアミン化合物と組み合わせて使用することができる。更なる別の態様では、１個の分子がアミン部分と、例えばチオール、ホスフィン、及びセレノール等の１個以上の代替ヘテロ原子部分とを有していてもよい。その効果としては、香料の送達が向上すること、及び香料の放出制御がある。好適なＡＲＰ並びにその製造方法は、米国特許出願第２００５／０００３９８０Ａ１号、及び米国特許第６，４１３，９２０  Ｂ１号に見ることができる。
【００３９】
香料の設計（ＰＤ）：機能性香料を製造するために香料原材料の物理的性質を利用した香料、及び／又は香料アコードの合理的設計も又、香料送達技術と考えられる。こうした香料の設計は、上記に述べた技術の内の１以上とともに、又はこうした技術なしで用いることができる。上記に述べた技術の内の１以上とともに、又はこうした技術なしで用いられる場合、この技術は「自由香料」と呼ぶこともできる。香料設計において使用することができる非限定的な性質としては、これらに限定されるものではないが、オクタノール／水分配係数（ＬｏｇＰ又はＣＬｏｐＰ）、水溶解度パラメータ、沸点（ｂｐ）、コバッツ・インデックス（ＫＩ）値、溶媒露出面積等がある。嗅覚閾値（ＯＤＴ）を用いて好ましい嗅覚特性を有するとともに１以上の他の香料送達技術を補完又はその使用を可能とする香料又は香料アコードを設計することも可能である。好適な香料設計（ＰＤ）システム並びにその製造方法は、米国特許出願第２００７／００４２９３４Ａ１号、同第２００５／０００３９８０Ａ１号、同第２００７／００７１７８０Ａ１号並びに米国特許第６，９９８，３８２号に見ることができる。
【発明を実施するための最良の形態】
【００４０】
上記に述べた各技術はＦＭＯＴ、ＳＭＯＴ、及び／又はＴＭＯＴの際の製品の知覚効果を向上させるうえで単独又は組み合わせで有用であるが、出願人等は製品がもたらす知覚体験全体を向上させるうえで特に有用でありうる以下の組み合わせを開示するものである。
【表１】
2009537693.tif 000002
【００４１】
更なる態様は、ＦＭＯＴ技術を含まない、例えば、香料、及び／又は１以上の香料送達システムを含む包装、及び／又はディスプレイを含まない点を除けば上記の表１に示した態様と同様である。
【００４２】
したがって包装製品の各態様は以下のものを含みうる。
【００４３】
全体の態様１
一態様では、自由香料、１以上の香料送達システム、及びこれらの混合物からなる群から選択される香料包装送達システムを包装が含みうる包装製品であって、製品マトリックスが自由香料、及び／又は１以上の香料送達システムを含みうる包装製品が開示される。こうした態様では、包装は全包装重量に対して、約０．００１％〜約１０％、約０．０３％〜約３％、更には約０．０３％〜約０．３％の自由香料、及び／又は約０．００１％〜約５０％、約０．０１％〜約２０％、更には約０．０１％〜約５％の１以上の香料包装送達システムを含んでよく、及び製品マトリックスは全製品マトリックス重量に対して、約０．００１％〜約３０％、約０．０５％〜約１０％、更には約０．１％〜約３％の自由香料、及び／又は約０．００１％〜約６０％、約０．０５％〜約２５％、更には約０．１％〜約８％の１以上の香料送達システムを含んでよい。上記の態様では、包装用の自由香料と香料送達システムの比は、約１：１００〜約２０：１、約１：２０〜約１０：１、更には約１：１０〜約５：１である。上記の態様では、製品マトリックス用の自由香料と香料送達システムの比は、約１：１０００〜約２０：１、約１：２０〜約１０：１、更には約１：１０〜約５：１である。
【００４４】
全体の態様２
別の態様では、ホットメルト送達システム、香料充填プラスチック、及びこれらの混合物からなる群から選択される香料包装送達システムを包装が含みうる包装製品であって、製品マトリックスが、自由香料，ポリマー支援型送達（ＰＡＤ）、分子支援型送達（ＭＡＤ）、アミン支援型送達（ＡＡＤ）、繊維支援型送達（ＦＡＤ）、シクロデキストリン（ＣＤ）、デンプン封入アコード（ＳＥＡ）、ゼオライト／無機担体システム（ＺＩＣ）、プロ香料（ＰＰ）システム、及びこれらの混合物からなる群から選択される香料材料を含みうる包装製品が開示される。こうした態様では、包装は全包装重量に対して、約０．００１％〜約５０％、約０．０１％〜約２０％、更には約０．０１％〜約５％の香料包装送達システムを含んでよく、及び製品マトリックスは全製品マトリックス重量に対して、約０．００１％〜約６０％、約０．０５％〜約２５％、更には約０．１％〜約８％の香料材料を含んでよい。上記の態様では、包装が自由香料を含む場合、包装用の自由香料と香料送達システムの比は、約１：１００〜約２０：１、約１：２０〜約１０：１、更には約１：１０〜約５：１である。上記の態様では、製品マトリックス用の自由香料と香料送達システムの比は、約１：１０００〜約２０：１、約１：２０〜約１０：１、更には約１：１０〜約５：１である。
【００４５】
全体の態様３
別の態様では、ホットメルト送達システム、香料充填プラスチック、及びこれらの混合物からなる群から選択される香料包装送達システムを包装が含みうる包装製品であって、製品マトリックスが、自由香料、香料マイクロカプセル（ＰＭＣ）、シクロデキストリン、デンプン封入アコード、水誘因プロ香料、ナノラテックス、シリコーン支援型送達（ＳＡＤ）、ポリマー性アミン支援型送達、封入又はコーティング香料充填ゼオライト、香料充填チューブ（ＰＬＴ）、アミン反応生成物（ＡＲＰ）、光プロ香料（ＰＰＰ）、及びこれらの混合物からなる群から選択される香料材料を含みうる包装製品が開示される。こうした態様では、包装は全包装重量に対して、約０．００１％〜約５０％、約０．０１％〜約２０％、更には約０．０１％〜約５％の香料包装送達システムを含んでよく、及び製品マトリックスは全製品マトリックス重量に対して、約０．００１％〜約６０％、約０．０５％〜約２５％、更には約０．１％〜約８％の香料材料を含んでよい。上記の態様では、包装が自由香料を含む場合、包装用の自由香料と香料送達システムの比は、約１：１００〜約２０：１、約１：２０〜約１０：１、更には約１：１０〜約５：１である。上記の態様では、製品マトリックス中の自由香料と香料送達システムの比は、約１：１０００〜約２０：１、約１：２０〜約１０：１、更には約１：１０〜約５：１である。
【００４６】
液体の態様１
別の態様では、自由香料、１以上の香料送達システム、及びこれらの混合物からなる群から選択される香料包装／ディスプレイ送達システムを包装が含みうる包装製品であって、製品マトリックスが液体を含みうるものであり、その液体が自由香料、及び／又は１以上の香料送達システムを含みうる包装製品が開示される。こうした態様では、包装は全包装重量に対して、約０．００１％〜約１０％、約０．０３％〜約３％、更には約０．０３％〜約０．３％の自由香料、及び／又は約０．００１％〜約５０％、約０．０１％〜約２０％、更には約０．０１％〜約５％の１以上の香料包装送達システムを含んでよく、及び製品マトリックスは全製品マトリックス重量に対して、約０．００１％〜約３０％、約０．０５％〜約１０％、更には約０．１％〜約３％の自由香料、及び／又は約０．００１％〜約３０％、約０．０５％〜約１５％、更には約０．１％〜約５％の１以上の香料送達システムを含んでよい。上記の態様では、包装用の自由香料と香料送達システムの比は、約１：１００〜約２０：１、約１：２０〜約１０：１、更には約１：１０〜約５：１である。上記の態様では、製品マトリックス用の自由香料と香料送達システムの比は、約１：１０００〜約２０：１、約１：２０〜約１０：１、更には約１：１０〜約５：１である。
【００４７】
水性液の態様１
別の態様では、自由香料、及び／又は１以上の香料送達システムからなる群から選択される香料包装送達システムを包装が含みうる包装製品であって、製品マトリックスが、全製品マトリックス重量に対して、約２％〜約９９．９％、約５％〜約９９％、約１０％〜約９８％、約２０％〜約９５％、更には約２５％〜約９０％の水と、自由香料、ポリマー支援型送達、アミン支援型送達、プロ香料、分子支援型送達、ゼオライト／無機担体システム、及びこれらの混合物からなる群から選択される香料材料とを含みうる包装製品が開示される。こうした態様では、包装は全包装重量に対して、約０．００１％〜約１０％、約０．０３％〜約３％、更には約０．０３％〜約０．３％の自由香料を含んでよく、及び／又は、約０．００１％〜約５０％、約０．０１％〜約２０％、更には約０．０１％〜約５％の１以上の香料包装送達システムを含んでよく、及び製品マトリックスは全製品マトリックス重量に対して、約０．００１％〜約６０％、約０．０５％〜約２５％、更には約０．１％〜約８％の香料材料を含んでよい。上記の態様では、包装用の自由香料と香料送達システムの比は、約１：１００〜約２０：１、約１：２０〜約１０：１、更には約１：１０〜約５：１である。上記の態様では、製品マトリックス中の自由香料と香料送達システムの比は、約１：１０００〜約２０：１、約１：２０〜約１０：１、更には約１：１０〜約５：１である。
【００４８】
水性液の態様２
別の態様では、ホットメルト送達システム、香料充填プラスチック、及びこれらの混合物からなる群から選択される香料包装送達システムを包装が含みうる包装製品であって、製品マトリックスが、全製品マトリックス重量に対して、約２％〜約９９．９％、約５％〜約９９％、約１０％〜約９８％、約２０％〜約９５％、更には約２５％〜約９０％の水と、約１５００未満、約１５００未満から約８００まで、更には約１４００未満から約１０００までのコバッツ・インデックス値のＰＲＭを有する自由香料、シクロデキストリン、デンプン封入アコード、水誘因プロ香料、マイクロカプセル、香料充填ゼオライト、香料充填チューブ、アミン反応生成物、光プロ香料送達システム、及びこれらの混合物からなる群から選択される香料材料とを含みうる包装製品が開示される。こうした態様では、包装は全包装重量に対して、約０．００１％〜約５０％、約０．０１％〜約２０％、更には約０．０１％〜約５％の香料包装送達システムを含んでよく、及び製品マトリックスは全製品マトリックス重量に対して、約０．００１％〜約６０％、約０．０５％〜約２５％、更には約０．１％〜約８％の香料材料を含んでよい。上記の態様では、製品マトリックスは全製品マトリックス重量に対して、約０．０００１％〜約６０％、約０．００５％〜約２５％、更には約０．０１％〜約８％の、約１５００未満、約１５００未満から約８００まで、更には約１４００未満から約１０００までのコバッツ・インデックスを有する香料を含んでよい。上記の態様では、包装が自由香料を含む場合、包装用の自由香料と香料送達システムの比は、約１：１００〜約２０：１、約１：２０〜約１０：１、更には約１：１０〜約５：１である。上記の態様では、製品マトリックス中の自由香料と香料送達システムの比は、約１：１０００〜約２０：１、約１：２０〜約１０：１、更には約１：１０〜約５：１である。
【００４９】
非水性液の態様１
別の態様では、自由香料、及び／又は１以上の香料送達システムからなる群から選択される香料包装送達システムを包装が含みうる包装製品であって、製品マトリックスが非水性液と、自由香料、シクロデキストリン、デンプン封入アコード、ポリマー支援型送達、プロ香料、ポリマー支援型送達、分子支援型送達、アミン支援型送達、ゼオライト／無機担体送達システム、及びこれらの混合物からなる群から選択される香料材料とを含みうる包装製品が開示される。こうした態様では、包装は全包装重量に対して、約０．００１％〜約１０％、約０．０３％〜約３％、更には約０．０３％〜約０．３％の自由香料を含んでよく、及び／又は、約０．００１％〜約５０％、約０．０１％〜約２０％、更には約０．０１％〜約５％の１以上の香料包装送達システムを含んでよく、及び製品マトリックスは全製品マトリックス重量に対して、約０．００１％〜約６０％、約０．０５％〜約２５％、更には約０．１％〜約８％の香料材料を含んでよい。上記の態様では、包装用の自由香料と香料送達システムの比は、約１：１００〜約２０：１、約１：２０〜約１０：１、更には約１：１０〜約５：１である。上記の態様では、製品マトリックス中の自由香料と香料送達システムの比は、約１：１０００〜約２０：１、約１：２０〜約１０：１、更には約１：１０〜約５：１である。
【００５０】
非水性液の態様２
別の態様では、ホットメルト送達システム、香料充填プラスチック、及びこれらの混合物からなる群から選択される香料包装送達システムを包装が含みうる包装製品であって、製品マトリックスが、全製品マトリックス重量に対して、約２％〜約９９．９％、約５％〜約９９％、約１０％〜約９８％、約２０％〜約９５％、更には約２５％〜約９０％の非水性液と、約１５００未満、約１５００未満から約８００まで、更には約１４００未満から約１０００までのコバッツ・インデックス値のＰＲＭを有する自由香料、シクロデキストリン、デンプン封入アコード、水誘因プロ香料、マイクロカプセル、香料充填ゼオライト、香料充填チューブ、アミン反応生成物、光プロ香料送達システム、及びこれらの混合物からなる群から選択される香料材料とを含みうる包装製品が開示される。こうした態様では、包装は全包装重量に対して、約０．００１％〜約５０％、約０．０１％〜約２０％、更には約０．０１％〜約５％の香料包装送達システムを含んでよく、及び製品マトリックスは全製品マトリックス重量に対して、約０．００１％〜約６０％、約０．０５％〜約２５％、更には約０．１％〜約８％の香料材料を含んでよい。上記の態様では、製品マトリックスは全製品マトリックス重量に対して、約０．０００１％〜約６０％、約０．００５％〜約２５％、更には約０．０１％〜約８％の、約１５００未満、約１５００未満から約８００まで、更には約１４００未満から約１０００までのコバッツ・インデックスを有する香料を含んでよい。上記の態様では、包装が自由香料を含む場合、包装用の自由香料と香料送達システムの比は、約１：１００〜約２０：１、約１：２０〜約１０：１、更には約１：１０〜約５：１である。上記の態様では、製品マトリックス中の自由香料と香料送達システムの比は、約１：１０００〜約２０：１、約１：２０〜約１０：１、更には約１：１０〜約５：１である。
【００５１】
固体の態様１
別の態様では、自由香料、１以上の香料送達システム、及びこれらの混合物からなる群から選択される香料包装送達システムを包装が含みうる包装製品であって、製品マトリックスが固体、及び自由香料、及び／又は１以上の香料送達システムを含みうる包装製品が開示される。自由香料、及び／又は１以上の香料送達システムの全体又は一部が固体中に含まれてもよい。こうした態様では、包装は全包装重量に対して、約０．００１％〜約１０％、約０．０３％〜約３％、更には約０．０３％〜約０．３％の自由香料を含んでよく、及び／又は、約０．００１％〜約５０％、約０．０１％〜約２０％、更には約０．０１％〜約５％の１以上の香料包装送達システムを含んでよく、及び製品マトリックスは全製品マトリックス重量に対して、約０．００１％〜約３０％、約０．０５％〜約１０％、更には約０．１％〜約３％の自由香料、及び／又は約０．００１％〜約３０％、約０．０５％〜約１５％、更には約０．１％〜約５％の１以上の香料送達システムを含んでよい。上記の態様では、包装用の自由香料と香料送達システムの比は、約１：１００〜約２０：１、約１：２０〜約１０：１、更には約１：１０〜約５：１である。上記の態様では、製品マトリックス用の自由香料と香料送達システムの比は、約１：１０００〜約２０：１、約１：２０〜約１０：１、更には約１：１０〜約５：１である。
【００５２】
固体の態様２
別の態様では、ホットメルト送達システム、香料充填プラスチック、及びこれらの混合物からなる群から選択される香料包装送達システムを包装が含みうる包装製品であって、製品マトリックスが固体と、自由香料、シクロデキストリン、デンプン封入アコード、ポリマー支援型送達、プロ香料、分子支援型送達、アミン支援型送達、ゼオライト／無機担体送達システム、及びこれらの混合物からなる群から選択される香料材料とを含みうる包装製品が開示される。香料材料の全体又は一部が固体中に含まれてもよい。こうした態様では、包装は全包装重量に対して、約０．００１％〜約５０％、約０．０１％〜約２０％、更には約０．０１％〜約５％の香料包装送達システムを含んでよく、及び製品マトリックスは全製品マトリックス重量に対して、約０．００１％〜約６０％、約０．０５％〜約２５％、更には約０．１％〜約８％の香料材料を含んでよい。上記の態様では、包装が自由香料を含む場合、包装用の自由香料と香料送達システムの比は、約１：１００〜約２０：１、約１：２０〜約１０：１、更には約１：１０〜約５：１である。上記の態様では、製品マトリックス用の自由香料と香料送達システムの比は、約１：１０００〜約２０：１、約１：２０〜約１０：１、更には約１：１０〜約５：１である。
【００５３】
固体の態様３
別の態様では、ホットメルト送達システム、香料充填プラスチック、及びこれらの混合物からなる群から選択される香料包装送達システムを包装が含みうる包装製品であって、製品マトリックスが、固体と、約１５００未満、約１５００未満から約８００まで、更には約１４００未満から約１０００までのコバッツ・インデックス値のＰＲＭを有する自由香料、シクロデキストリン、デンプン封入アコード、水誘因プロ香料、マイクロカプセル、香料充填ゼオライト、香料充填チューブ、アミン反応生成物、光プロ香料、及びこれらの混合物からなる群から選択される香料材料とを含みうる包装製品が開示される。香料材料の全体又は一部が固体中に含まれてもよい。こうした態様では、包装は全包装重量に対して、約０．００１％〜約５０％、約０．０１％〜約２０％、更には約０．０１％〜約５％の香料包装送達システムを含んでよく、及び製品マトリックスは全製品マトリックス重量に対して、約０．００１％〜約６０％、約０．０５％〜約２５％、更には約０．１％〜約８％の香料材料を含んでよい。上記の態様では、製品マトリックスは全製品マトリックス重量に対して、約０．０００１％〜約６０％、約０．００５％〜約２５％、更には約０．０１％〜約８％の、約１５００未満、約１５００未満から約８００まで、更には約１４００未満から約１０００までのコバッツ・インデックスを有する香料を含んでよい。上記の態様では、包装が自由香料を含む場合、包装用の自由香料と香料送達システムの比は、約１：１００〜約２０：１、約１：２０〜約１０：１、更には約１：１０〜約５：１である。上記の態様では、製品マトリックス中の自由香料と香料送達システムの比は、約１：１０００〜約２０：１、約１：２０〜約１０：１、更には約１：１０〜約５：１である。
【００５４】
装置の態様１
別の態様では、自由香料、１以上の香料送達システム、及びこれらの混合物からなる群から選択される香料包装送達システムを包装が含みうる包装された装置であって、装置が固体、及び自由香料、及び／又は１以上の香料送達システムを含みうる装置が開示される。こうした態様では、包装は全包装重量に対して、約０．００１％〜約１０％、約０．０３％〜約３％、更には約０．０３％〜約０．３％の自由香料を含んでよく、及び／又は、約０．００１％〜約５０％、約０．０１％〜約２０％、更には約０．０１％〜約５％の１以上の香料包装送達システムを含んでよく、及び装置は全装置重量に対して、約０．００１％〜約３０％、約０．０５％〜約１０％、更には約０．１％〜約３％の自由香料、及び／又は約０．００１％〜約３０％、約０．０５％〜約１５％、更には約０．１％〜約５％の１以上の香料送達システムを含んでよい。上記の態様では、包装用の自由香料と香料送達システムの比は、約１：１００〜約２０：１、約１：２０〜約１０：１、更には約１：１０〜約５：１である。上記の態様では、装置用の自由香料と香料送達システムの比は、約１：１０００〜約２０：１、約１：２０〜約１０：１、更には約１：１０〜約５：１である。
【００５５】
装置の態様２
別の態様では、自由香料、シクロデキストリン、デンプン封入アコード、ポリマー支援型送達、プロ香料、分子支援型送達、アミン支援型送達、ゼオライト／無機担体送達システム、及びこれらの混合物からなる群から選択される香料包装送達システムを包装が含みうる包装された装置が開示される。こうした態様では、包装は全包装重量に対して、約０．００１％〜約５０％、約０．０１％〜約２０％、更には約０．０１％〜約５％の香料包装送達システムを含んでよく、及び装置は全装置重量に対して、約０．００１％〜約６０％、約０．０５％〜約２５％、更には約０．１％〜約８％の香料材料を含んでよい。上記の態様では、包装が自由香料を含む場合、包装用の自由香料と香料送達システムの比は、約１：１００〜約２０：１、約１：２０〜約１０：１、更には約１：１０〜約５：１である。上記の態様では、装置用の自由香料と香料送達システムの比は、約１：１０００〜約２０：１、約１：２０〜約１０：１、更には約１：１０〜約５：１である。
【００５６】
装置の態様３
別の態様では、ホットメルト送達システム、香料充填プラスチック、及びこれらの混合物からなる群から選択される香料包装送達システムを包装が含みうる包装された装置であって、装置が、自由香料、シクロデキストリン、デンプン封入アコード、マイクロカプセル、香料充填ゼオライト、香料充填チューブ、アミン反応生成物、光プロ香料、及びこれらの混合物からなる群から選択される香料材料を含みうる装置が開示される。こうした態様では、包装は全包装重量に対して、約０．００１％〜約５０％、約０．０１％〜約２０％、更には約０．０１％〜約５％の香料包装送達システムを含んでよく、及び装置は全装置重量に対して、約０．００１％〜約６０％、約０．０５％〜約２５％、更には約０．１％〜約８％の香料材料を含んでよい。上記の態様では、包装が自由香料を含む場合、包装用の自由香料と香料送達システムの比は、約１：１００〜約２０：１、約１：２０〜約１０：１、更には約１：１０〜約５：１である。上記の態様では、製品マトリックス中の自由香料と香料送達システムの比は、約１：１０００〜約２０：１、約１：２０〜約１０：１、更には約１：１０〜約５：１である。
【００５７】
１以上の態様において、上記の態様１の包装製品は、ＰＡＤリザーバシステムを香料マイクロカプセル、及びＰＡＤマトリックスシステム、及び／又はアミン支援型送達（ＡＡＤ）システムの形態で含みうる。
【００５８】
１以上の態様において、香料送達システムは１以上の基材を含んでもよく、その場合、香料送達技術は１以上の基材に塗布されるか、あるいは１以上の基材の間に挟み込まれる。一態様では、１以上の基材は、ポリマー性マトリックスシステム等の１以上の香料送達技術を含む。一態様では、挟み込まれる香料送達技術は香料マイクロカプセル等のマイクロカプセルでありうる。
【００５９】
１以上の態様において、上記の態様１の包装製品は、例えば光プロ香料（ＰＰＰ）、及びＰＡＤリザーバシステム等のプロ香料、ＰＡＤマトリックスシステム、及び／又はアミン支援型送達（ＡＡＤ）システムを含んでもよい。別の態様では、ＰＡＤリザーバシステムは香料マイクロカプセル（ＰＭＣ）であり、更にはカプセル壁が尿素／ホルムアルデヒド、及び／又はメラミン／ホルムアルデヒド樹脂に基づいた香料マイクロカプセルである。更なる別の態様では、ＡＡＤシステムはポリエチレンイミン（ＰＥＩ）、及びポリビニルアミン（ＰＶＡｍ）からなる群から選択される材料を含む。
【００６０】
１以上の態様において、上記の態様１の包装製品はナノチューブを含みうる。こうした包装製品は、ポリマー支援型送達システム、アミン支援型送達システム、アミン反応生成物、シクロデキストリン、デンプン封入アコード、香料充填ゼオライト、コーティング香料充填ゼオライト、プロ香料、及びこれらの混合物からなる群から選択される材料を更に含んでもよい。
【００６１】
更なる態様では、こうした更なる態様はいずれかの包装に関連する香料包装送達システムが必ずしも必要ではない点を除けば上記に述べた態様と同様である。すなわち、こうした態様では香料包装送達システムを含まずともよい。
【００６２】
別の更なる態様では、こうした更なる態様は包装が必ずしも必要ではない点を除けば上記に述べた態様と同様である。すなわち、こうした態様では包装を含まずともよい。
【００６３】
更なる態様では、こうした態様は上記に述べた態様と同様であり、こうした態様は上記に述べた態様とともに示した香料包装送達システムと同様の香料ディスプレイ送達システムを含みうるディスプレイに関連する。
【００６４】
単一のＦＭＯＴ技術によって与えられる体験は消費者のすべての要求を満たすには時として不充分であることから、上記の態様では、複数のＦＭＯＴ技術を用いることができる。例えば、単一の包装手法又はＦＭＯＴ香料送達技術（ＰＤＴ）によって与えられる香料放出はすべての消費者によって体験、知覚されない可能性がある。例えば、ある消費者は製品のキャップを持ち上げてマトリックスベースのポリマー支援型送達（ＰＡＤ）技術（例えば香料ホットメルト又は香料付与プラスチックインサート）等のＦＭＯＴ  ＰＤＴの効果を体験するかもしれないが、別の消費者はキャップを持ち上げるという判断を下さないかもしれず、その場合、代わりに製品又は包装の外側に配されたＦＭＯＴ  ＰＤＴを知覚する可能性が高いであろう。こうしたＦＭＯＴ  ＰＤＴは、１）ＰＡＤマトリックス型ホットメルト、２）香料注入プラスチック、３）香料付与ラベル、４）スクラッチアンドスニッフ香料放出システム、更には５）店頭ディスプレイの一部として、製品の近くに置かれる香料サンプルを含むリストから選択することができる。これらのＦＭＯＴ  ＰＤＴはいずれも独立して選択し、製品、及び／又は包装の上面、側面又は底面等の製品上に独立して配することができる。
【００６５】
向上したＦＭＯＴ体験に対するこうした要求に対する解決策の別の例は、香料ホットメルト等の同じ又は類似のＰＤＴをこれが製品の１以上の位置に配されるように用いることである。例えば、ホットメルトを製品のフタの下に配し、同じか又は異なるＦＭＯＴ  ＰＤＴを製品の底面に配してもよい。所望の体験に基づいて、あるＦＭＯＴ  ＰＤＴ（例、ホットメルト又は香料付与プラスチックインサート）に組み込むために選択される香料は、製品、及び／又は製品の包装の部分として含まれる１以上の他のホットメルトに組み込むために選択される香料と香料組成において同じか、類似か、又は異なっていてよい。
【００６６】
ホットメルト又は接着剤ベースのシステムは、香料注入プラスチック等の代替的ＦＭＯＴ  ＰＤＴとは異なる速度で香料原材料（ＰＲＭ）を放出する。香料放出プロファイルの差を大きくすることによって、特性、強度、放出プロファイル、コスト等の要因のバランスを調整する際に調香者又は製品の配合者が特定の妥協を強いられる単一のＰＤＴの場合よりも大きな嗅覚効果を得ることが可能である。例えば、１つの組み合わせの選択として、製品の異なる部分に同じＦＭＯＴ  ＰＤＴを配するが、異なるサンプルについて異なる香料アコードを選択することがある。例えば、あるＦＭＯＴ  ＰＤＴはコバッツ・インデックス（ＫＩ）値が８００〜１２００の範囲となるような高い比率のトップノートを含みうるが、別のホットメルトはコバッツ・インデックス（ＫＩ）値が１２００〜１５００の範囲となるようにより多くのミドルノート又はＰＲＭを含んでもよく、更に別のものはコバッツ・インデックス（ＫＩ）値が１５００よりも大きくなるようにベースノートを含んでもよい。これは揮発性の異なるＰＲＭの放出プロファイルに基づいて香料充填率を選択することが可能であるという利点を有する。
【００６７】
ホットメルト又は香料プラスチック等のすべてのＦＭＯＴ  ＰＤＴについて、コバッツ・インデックス（ＫＩ）、及び嗅覚閾値（ＯＤＴ）等のパラメータの組み合わせに基づくものである主要な放出ＰＲＭを選択することによってシステムを向上させることができる。ＰＲＭのＫＩの好ましい範囲は８００から１５００まで、より好ましくは１０００から１４００まで、更により好ましくは１０００から１２００までであってよい。更に、個別のＰＲＭ又は香料アコードを選択することにより製品中の香料の香りを高めることが可能である。これらのＰＲＭは例えば化学的に不安定等の理由で配合が容易ではないＰＲＭから選択される場合もある。製品中の異なるＦＭＯＴ  ＰＤＴ、及び／又は香料に対して異なるＰＲＭ又はアコードが選択される香料設計の他の例も本発明の範囲に含まれる。
【００６８】
本発明の別の態様には、低濃度の香料を含むか又は香料を含まない製品について、購買時点で所望の体験を与えるためにＦＭＯＴ  ＰＤＴの組み合わせを用いることが含まれる。こうした製品は乾燥部位の使用時体験における香料への暴露を最小とするために消費者によって選ばれる場合がある。製品内香料濃度が低いこうした製品は、残りの配合成分によって望ましくない匂いを有する場合がある。そこでＦＭＯＴ  ＰＤＴ又はＰＤＴを用いて購買時点における香り体験を向上させることができる。
【００６９】
上記の態様では、製品の使用時に理想的な香り体験をすることが消費者にとって更に重要である。例えば、消費者は使用時の製品の香りの新鮮な特性、及び好ましい強度によって満足するはずである。ＦＭＯＴ  ＰＤＴ又はＰＤＴは通常、購買時点において所望の知覚体験を与える必要を満たすものであるが、例えば使用時に製品が片付けられたり、処理された部位が使用前に片付けられたり、あるいは香りの強度が使用時の消費者の要求を満たすには不充分であったりすることから、使用時体験の全体を通じて所望の知覚体験を与えるとは限らない。更に、使用時体験における複数の接触点で、所望の知覚体験を生じさせるうえで更なるＰＤＴを要する場合がある。例えば、あるＳＭＯＴ  ＰＤＴは包装を開封し、及び／又は箱やボトルから製品を注ぐ際に所望の製品の香り体験を与えるうえで必要とされ、別のＳＭＯＴ  ＰＤＴがその洗浄液の所望の香り強度、及び特性を維持するうえで必要とされるような場合がある。更に、製品が使用される部屋を満たし、及びそこで持続する香りを与えるとともに処理された部位に香りを与える目的で同じ又は異なるＳＭＯＴ  ＰＤＴを選択することができる。例えば、洗濯用洗剤又は衣類のコンディショナーの場合、ＳＭＯＴ  ＰＤＴによって濡れた洗濯物を特に洗濯機から取り出す際に所望の香り体験を与えることができる。衣類を手で洗う消費者では、こうした使用時の香料放出（香料ブルームとしても知られる）は香り体験にとって特に重要である。他の例としては、これらに限定されるものでないが、ヘアシャンプー、及びコンディショナー、ボディシャンプー（１以上の別個の相を有するものを含む）、石鹸、制汗剤、デオドラント等のヘア、及びスキンケア製品が挙げられる。こうした製品では、未希釈の又は水で希釈した形態における製品の使用時の香料ブルームはＳＭＯＴの消費者体験にとって重要である。
【００７０】
ＳＭＯＴ  ＰＤＴ又はＰＤＴを用いることにより製品使用時の香料強度又は香料ブルームを高めることができる。その例として、製品の包装がなかったり、ＦＭＯＴ  ＰＤＴが未希釈の製品に関連した香料と組み合わせた場合に充分な香りを与えない時に、香料放出が水分により誘発されることによって香りが体験され、その香りが部屋を満たしさえするような場合がある。
【００７１】
ここで述べたいずれのＰＤＴも消費者製品で任意の組み合わせで用いることによって所望のＦＭＯＴ又はＳＭＯＴの香り体験を実現することができる。ＳＭＯＴ  ＰＤＴの例としては、マトリックス（例、ナノラテックス）、及びリザーバ（マイクロカプセル）システムを含む、デンプン封入アコード、シクロデキストリン、プロ香料、香料充填ポリマーなどが挙げられる。
【００７２】
製品使用時に水分の増加によって香料放出が誘発されるＳＭＯＴ  ＰＤＴは、例えば顆粒状洗剤、衣類の柔軟剤シート、洗濯用タブレット等の低水分の製品形態に特に適している。
【００７３】
多くの場合、ＳＭＯＴ  ＰＤＴにより、理論に束縛されるものではないが、担体と香料原材料（ＰＲＭ）との間の相互作用によって、製品の上方の未希釈の製品の匂い（ＮＰＯ）又は香料ヘッドスペースが減少する可能性がある。当業者であれば更なる自由香料を添加することによって香料ヘッドスペースの減少を補償することが考えられるが、この方法は製品のコストが嵩み、香りをその性質又は強度の面で変質させることで他の消費者接触点における消費者体験に悪影響を及ぼす可能性がある。ＦＭＯＴ、及びＳＭＯＴ  ＰＤＴを組み合わせた本発明の使用によれば、製品の使用時又は使用後に効果を奏することを意図したＦＭＯＴ、及びＳＭＯＴ  ＰＤＴの使用によって生ずる問題点が解決される可能性がある。例えば、シクロデキストリン、及び／又はＳＥＡを個別に香料で充填して顆粒状洗濯用洗剤に配合することが可能であり、これにより製品使用時に香料強度のバースト又はブルームが得られる。しかしながら未希釈の製品の香りの強度、及び特性が不充分であったり変質することによりＦＭＯＴ（購買時点）における消費者の許容度が低下する可能性がある。そこで、特定のＦＭＯＴ  ＰＤＴを加えることにより、配合者が全体の香り体験を向上させることが可能となることでこの問題が解決される。ここで、香料の一部又は全部がＳＭＯＴ  ＰＤＴから放出された時点で、洗浄液の香りに近い香り特性を有する少量の香料が製品又は包装上に存在するようにしてもよい。又、異なる性質、及び強度を有する香料を選択してＦＭＯＴ  ＰＤＴに組み込んでもよい。
【００７４】
別の態様では、消費者が未希釈の製品の匂い、使用時体験、更には使用後体験を通じて知覚される同じ香りに飽きてしまうという問題点を解決するための手段が開示される。本発明によれば、それぞれの消費者接触点において異なる香料特性を与えることが可能である。すなわち、包装材料の香料はボトル内の香料と異なっていてもよく、製品の使用時に放出される香料と場合により異なっていてもよく、更に湿潤部位又は製品の使用後に湿潤又は乾燥部位から香料を放出する送達システムから放出される香料と場合により異なっていてもよい。したがって本発明によれば、配合者が下記に明細書中に示すＰＤＴのいずれか又はすべてを組み合わせることによって消費者の全体の香り体験のバランスを調整することが可能となる。
【００７５】
本発明の別の利点は、ＦＭＯＴ、及びＳＭＯＴ  ＰＤＴの組み合わせを用いることによって放出プロファイル又は放出速度を改変することが可能である点である。特定のＰＲＭは例えばこれが界面活性剤等の他の配合成分と共存していて低い蒸気圧を有するような場合に所望のヘッドスペースレベルを得ることを困難にする性質を有している場合がある。特定のＦＭＯＴ  ＰＤＴの使用によって、こうしたＰＲＭがヘッドスペース内で製品の近くに存在しうることで、ＰＲＭの効果を実現することが可能である。
【００７６】
複数のＳＭＯＴ  ＰＤＴを使用することも有用である場合がある。広範なＰＲＭを複合するうえで特定の香料担体が効果的であるが、多くはどのＰＲＭが完全に複合化されるかによって制限される。こうした制限は、例えば分子の大きさ又は形状に関連している場合がある。こうした場合、与えられたＳＭＯＴ  ＰＤＴを更なるＳＭＯＴ  ＰＤＴで補完する必要がある。例えば、特定の高揮発性のＰＲＭでは、デンプン封入過程において損失が生じる場合がある。しかしながらこうしたＰＲＭは、特に高い結合を有している場合にシクロデキストリン内に容易に取り込むことができる。このため、特定の製品内でＳＥＡとＣＤとを組み合わせることによって、それぞれが別々に与える効果と比較して特性、及び強度においてより高い香り効果を得ることができる。
【００７７】
ＦＭＯＴ  ＰＤＴを利用した製品によって購買時点における消費者体験が向上し、ＳＭＯＴ  ＰＤＴによって使用時体験が向上しうるが、乾燥部位の香りを向上させることも求められている。例えば、乾燥衣類の匂い（ＤＦＯ）を香り特性、及び強度の両面から向上させるという要求は満たされていない。そこでＴＭＯＴ  ＰＤＴが有用である。多くのＴＭＯＴ  ＰＤＴでは担体と香料との間に強い相互作用が見られる。特定の部位の匂いを向上させるためには、その部位へのＰＲＭの蓄積量を増大させる必要がある。これは担体技術を利用することで実現可能であるが、こうした担体は未希釈の製品の匂いを抑制することからＦＭＯＴ体験が影響される場合がある。この問題は、ＴＭＯＴ  ＰＤＴと組み合わせてＦＭＯＴ  ＰＤＴを用いることによって全体の体験を向上させる本発明によって解決される。
【００７８】
例えば、ポリマー壁又はマトリックスによる香料の封入によって、香料は過酷な製造条件から保護され、部位への香料の蓄積量が増大する。理論に束縛されるものではないが、封入技術によって、特定の誘因により担体から香料が放出される前に香料ヘッドスペースが抑制される。こうした誘因としてはこれらに限定されるものではないが、拡散、摩擦、熱、希釈、イオン強度、水、ｐＨ、光等がある。香料ヘッドスペースの抑制により、未希釈の製品の匂い、及びＦＭＯＴの消費者体験が影響されうる。ＦＭＯＴ  ＰＤＴの使用により、先の消費者接触点又はモーメント・オブ・トゥルースにおける特性、及び強度が向上し、又、ＴＭＯＴ  ＰＤＴの使用により、例えばＤＦＯといった処理部位に効果を与えることでこの問題が解決される。
【００７９】
香料マイクロカプセル（ＰＭＣ）と同様、ＦＭＯＴ  ＰＤＴの使用により、本願で記載する他のＴＭＯＴ  ＰＤＴを用いた場合と同様の利点が与えられる。こうしたＦＭＯＴ  ＰＤＴとしては、これらに限定されるものではないがプロ香料、香料充填ゼオライト（ＰＬＺ）、ナノラテックス、アミン支援型送達技術、及びナノチューブ等の他のポリマー支援型送達システムがある。
【００８０】
複数のＴＭＯＴ  ＰＤＴを用いることも有用である場合がある。消費者のニーズに応えるためにしばしば１以上のＰＤＴの使用を必要とするＴＭＯＴに関連した多くの消費者接触点がある。例えば衣類の用途では、乾燥又はほぼ乾燥した洗濯物が、１）乾燥機から取り出され、２）乾燥用ヒモから外され、３）折り畳まれて保存され、４）アイロンをかけられ、５）きれいな状態で着用され、６）数時間の着用後に着用者又は他者によって匂いを嗅がれ、７）先の着用又は使用後に再び着用され、８）洗濯の前に汚れた洗濯物の山から取り出される際に、その特性、及び強度を向上させるために異なるＴＭＯＴ  ＰＤＴが必要とされる場合がある。別の例としては、ヘア又はスキン（頭皮）用途があり、その場合、１）洗浄、入浴、シャワー等における製品の使用後の例えばタオル、及び／又はヘア又はハンドドライヤーによる乾燥時又は乾燥後、２）製品が使用された部屋又は場所（例、トイレ又はシャワー）を出た後、３）製品が使用された場所に戻った後、４）製品の使用の数時間後、又は５）製品の使用から１日以上経った後で、消費者が自分自身又は他者に付着した香料の香りに気付く際に乾燥又はほぼ乾燥した毛髪又は皮膚の特性、及び強度を向上させるために異なるＴＭＯＴ  ＰＤＴが必要とされる場合がある。ＴＭＯＴに関連した他の消費者接触点としては、これらに限定されるものではないが、制汗剤、及びデオドラント等のヘア又はスキン製品の使用後に衣類に付着した香り、並びに、特定の部位の含水量の変化に伴って生じうる香りの強度、及び／又は特性の変化がある。上記の消費者接触点はいずれも、１回の使用若しくは適用後、又は複数回の使用若しくは適用後に所定の効果を奏する香料送達技術の組み合わせを用いて扱うことができる。
【００８１】
製品の保存時又は製品の使用時に香料マイクロカプセル（ＰＭＣ）から特定のＰＲＭが「漏れ」出ることは珍しいことではない。本発明は、ＰＭＣによれば所望よりも低い効率で送達されうるＰＲＭと相互作用するか又はこれを「取り除く」ためにＰＤＴを用いて、ＰＭＣ又はＰＡＤを個別に用いた場合と比較して優れた香料体験を与える手段について述べる。特定のＰＭＣシステムでは、最も漏出しやすいＰＲＭとして、「トップノート」と呼ばれるＰＲＭのような、ＣＬｏｇＰ値が低く、及び／又はコバッツ・インデックス（ＫＩ）値が低いＰＲＭがある。ＰＡＤ、及びＡＡＤ  ＰＤＴを用いてこうしたＰＲＭの送達を向上させることが可能である。ＴＭＯＴの組み合わせを強化する別の選択肢は、ＰＭＣとは別にトップノート等の更なる遊離ＰＲＭを添加するとともに、ＰＡＤ、及び／又はＡＡＤ技術を用いて別個に添加されるＰＲＭの蓄積を向上させることであり、ＰＭＣシステムと組み合わせることで他のＰＲＭの蓄積、及び／又は放出が向上する。更にＰＭＣの蓄積を向上させるために使用することが可能なＰＡＤ、及び／又はＡＡＤシステムは、香料で予備充填するか、又は香料とは別に製品マトリックスに添加することによって、遊離ＰＲＭ、及びＰＭＣの双方の蓄積を向上させるとともに、場合により部位からの自由香料、及び／又は封入香料の放出プロファイルを改変することができる。
【００８２】
異なる香料、香料アコード又はＰＲＭを送達するＴＭＯＴ  ＰＤＴの組み合わせを用いることによって全体の特性、及び強度のバランスを調整すること以外に、ＴＭＯＴ  ＰＤＴの組み合わせを用いることの別の利点として、ＰＤＴの全体の蓄積、及び放出プロファイルを向上させることがある。例えば、カチオン性ポリマー、及び／又は他の添加剤を使用して部位へのＰＭＣの蓄積を増大させることができる。更にこうした添加剤によってＰＭＣからの香料の放出プロファイルを改変することが可能である。理論に束縛されるものではないが、香料の放出は、壁の多孔度を低下又は増大させ、内部又は外部相に対する壁の拡散性を改変する添加剤の能力によって改変されると考えられる。やはり理論に束縛されるものではないが、添加剤は所定の誘因による放出の前又は後にＰＭＣから放出されるＰＲＭの香料シンクとして機能しうる。
【００８３】
本発明の別の態様では、選択ＰＲＭはＰＭＣの壁を通じて拡散することができる。こうした拡散は香料の徐放を実現するうえで望ましいが、場合によってはこうしたＰＲＭの放出は早過ぎると考えられ、特定のＰＲＭが不足したり、好ましい特性又は強度の変化をもたらす。プロ香料等の更なるＴＭＯＴ  ＰＤＴの使用によれば、ＰＭＣの壁を通じて拡散可能なＰＲＭのような香料が徐放されることで所望の特性を長期にわたって維持することが可能となる。したがってＰＭＣによって効果的に送達されないか、異なる又は改変されたヘッドスペース濃度で送達される必要のあるＰＲＭをプロ香料技術に基づく所定のＴＭＯＴ  ＰＤＴによって送達することが可能である。
【００８４】
本発明の別の態様では、ＴＭＯＴ  ＰＤＴを用いて１以上の他のＴＭＯＴ  ＰＤＴの蓄積を向上させる。例えば、特定のＰＲＭの蓄積を増大させ、更にプロ香料等の別のＴＭＯＴ  ＰＤＴの蓄積を増大させる目的でポリマー、好ましくはカチオン性ポリマーを製品に配合することが可能である。こうしたプロ香料には光誘因プロ香料が含まれる。ポリマーは、蓄積を増大させるうえで機能するばかりでなく、部位に更なるＰＲＭを送達するための香料担体としても機能する。ポリマーは又、プロ香料から放出される１又は複数のＰＲＭの放出プロファイルを改変するうえで機能する。
【００８５】
向上した蓄積の他の例は、ＰＭＣ、プロ香料、ゼオライト又は粘土、ポリマー支援型送達（例、ナノラテックス）、アミン支援型送達、無機ナノチューブ、光プロ香料、シリコーン等を組み合わせることによって実現可能である。
【００８６】
本発明の別の態様によれば、配合者が各種ＴＭＯＴ  ＰＤＴを組み合わせることによって鮮度を最大化し、香りの分極を最小化することが可能である。例えばプロ香料は１種類のＰＲＭ、又は複数のＰＲＭであっても送達することができる。こうした香料の放出によってシグナル並びに好ましい特性、及び強度が与えられるものの、数種類のみのＰＲＭの放出では、複雑さの乏しい香り特性、更には分極したり、不快な香り体験につながる可能性がある。この問題は、他のＴＭＯＴ  ＰＤＴから送達されるＰＲＭによって香り特性、及び強度のバランスを調整することで解決される。例えば、香料マイクロカプセル（ＰＭＣ）、及びプロ香料を使用することでいずれかのＰＤＴを個別に使用した場合と比較して優れた香り体験を与えることができる。
【００８７】
本発明には更に、異なる消費者接触点における香り強度を高め、香り特性を向上させるためにＴＭＯＴ  ＰＤＴの組み合わせを使用することが含まれる。例えば、ＴＭＯＴ  ＰＤＴの組み合わせによって、部位が乾燥してから直ぐに所望の香りを与え、更にずっと後の時点において所望の香りを与えることができる。長期にわたった香料の徐放が求められているが、この問題を解決しようとする際の問題は、所望の結果を得るには大量の香料を必要とする場合がある点である。これは、ＰＲＭが揮発性で極めて速やかに放散したり、嗅覚閾値（ＯＤＴ）が高いためにＰＤＴの理論上の香料充填限界値を考慮すると実用的ではない濃度で使用されなければならないような場合に特にあてはまる。このニーズは、香料の放出が異なる時点で誘発されるようなＴＭＯＴ  ＰＤＴの組み合わせを使用することによって満たされる。例えば、ポリマー支援型送達ＴＭＯＴ  ＰＤＴによって部位が乾燥して間もなく香りを与え、洗濯されるまでの間カゴに保管されている衣類から酵素誘因プロ香料によって香料が放出されるようにしてもよい。ＰＤＴの組み合わせの使用によれば、所望の強度、及び／又は特性を得るために香料成分の放出が最も必要とされるまでの間、香料の一部を隠す、すなわち抑制することが配合者にとって可能となる。時間制御された香料放出を行うために効果的な誘因を強化することは、放出が所望の誘因によって開始されるまでの間、ＴＭＯＴ  ＰＤＴのいずれかによって運ばれる特定のＰＲＭのヘッドスペースが抑制されるという、この目的を達成するための１つの手段である。
【００８８】
２以上のＴＭＯＴ  ＰＤＴの組み合わせの別の例には、部位に蓄積し、部位が製品で処理された直後又はその後間もなく部位から香料の放出を開始するデンプンコーティング香料充填ゼオライト（ＰＬＺ）及び、放出誘因に暴露された際に部位からＰＲＭの放出を開始するプロ香料が含まれる。光プロ香料としても知られる光誘因プロ香料の場合では、誘因は光等の電磁放射である。他のプロ香料誘因としては、水、ｐＨ変化、酵素、又は、例えば濃度などの条件の変化による平衡状態の移動が含まれ、これにより香料充填ゼオライト等のＰＤＴの組み合わせで用いられる他のＴＭＯＴ  ＰＤＴによって与えられる効果を補完又は高める速度で香料が放出される。
【００８９】
本発明の別の態様では、１以上のＰＤＴをある部位で用い、１以上のＰＤＴを異なる部位で用いる。例えば、香料マイクロカプセルから衣類に放出される香料の強度、及び／又は特性を、別の香料マイクロカプセル又はプロ香料等の、毛髪又は皮膚に存在する同じ又は異なるＰＤＴから放出される香料によって高めることができる。
【００９０】
本発明の別の態様では、上記に述べた香料送達技術（ＰＤＴ）のいずれかを用いて上記の香料送達技術の他のいずれかを封入又はコーティングすることができる。こうした封入又はコーティングは、封入又はコーティングされた香料又はＰＤＴの安定性を高めるうえで機能するか、あるいは封入されるＰＤＴ又は封入するＰＤＴのいずれかの蓄積又は香料放出プロファイルを変化させるうえで機能しうる。例えば、コア／シェル封入技術を用いてプロ香料を、更なる封入された自由香料とともに、又は自由香料なしで封入することができる。別の例では、シクロデキストリン分子又は香料充填シクロデキストリンをマトリックス又はリザーバシステムの形態のポリマー支援型送達システムによって封入することができる。香料充填無機ゼオライト、及び／又はナノチューブをポリマーマトリックス又はポリマーシェルに封入してもよい。更なる別の例では、香料とシリコーンの混合物をメラミン／ホルムアルデヒドベースのポリマーシステムに封入するか、香料で充填したメラミン／ホルムアルデヒドベースのポリマーシステムをシリコーン、及び／又は香料含有シリコーンでコーティングする。更なる別の例では、例えば米国特許第５，１８８，７５３号に記載されるようにＰＡＤをＰＡＤでコーティングする。
【００９１】
本発明の別の例では、ホットメルトを上記の香料送達技術（ＰＤＴ）のいずれかで充填するか、ホットメルトを用いて上記の香料送達技術（ＰＤＴ）のいずれかをコーティング又は封入することができる。こうしたＰＤＴの組み合わせはＦＭＯＴにおける消費者体験を向上させるうえで特に有用である。
【実施例】
【００９２】
以下の実施例に示される組成を有する各種の洗剤組成物を調製する。これらの実施例において成分名の略称は以下の意味を有する。
【表２】
2009537693.tif 000003
【００９３】
香料送達システムを含有する液体洗剤組成物は以下の配合を有する。
【００９４】
（実施例１）：
【表３−１】
2009537693.tif 000004
【表３−２】
2009537693.tif 000005
＊  残部
＊＊  上記の製品をキャップを有する容器からなる包装で包装する。一態様における包装は、上記のＰＡＤマトリックスシステムをホットメルト接着剤又は香料付与プラスチックの形態で含む。上記の例におけるホットメルト接着剤の形態のＰＡＤはキャップの下又は近くに配する。
【００９５】
（実施例２）：
【表４】
2009537693.tif 000006
＊  残部
＊＊  上記の製品をキャップを有する容器からなる包装で包装する。一態様における包装は、上記のＰＡＤマトリックスシステムをホットメルト接着剤又は香料付与プラスチックの形態で含む。
【００９６】
（実施例３）：
【表５】
2009537693.tif 000007
＊  残部
＊＊  上記の製品をキャップを有する容器からなる包装で包装する。一態様における包装は、上記のＰＡＤマトリックスシステムをホットメルト接着剤又は香料付与プラスチックの形態で含む。上記の例におけるホットメルト接着剤の形態のＰＡＤはキャップの下又は近くに配する。
ｍ  シリコーン支援型送達（ＳＡＤ）システムを含むＰＡＤマトリックスシステム
【００９７】
（実施例４）：
【表６】
2009537693.tif 000008
＊残部
ａ  Ｎ，Ｎ−ジ（タローオイルオキシエチル）−Ｎ，Ｎ−ジメチルアンモニウムクロライド。
ｂ  メチル−ビス（タローアミドエチル）−２−ヒドロキシエチルアンモニウムメチルサルフェート。
ｃ  脂肪酸とメチルジエタノールアミンとのモル比１．５：１での反応生成物を、塩化メチルで四級化して得られるＮ，Ｎ−ビス（ステアロイルオキシエチル）Ｎ，Ｎ−ジメチルアンモニウムクロライドとＮ−（ステアロイルオキシエチル）Ｎ−ヒドロキシエチルＮ，Ｎジメチルアンモニウムクロライドとの１：１モル比混合物。
ｄ  商品名ＣＡＴＯ（登録商標）でナショナルスターチ（National Starch）社から市販されるカチオン性高アミローストウモロコシデンプン。
ｅ  当該技術分野で記載されるホルムアルデヒドスカベンジャー
ｆ  米国特許第５，５７４，１７９号、第１５欄、１〜５行目の式を有する、エチレンオキシドとテレフタレートとのコポリマーであって、式中、各Ｘはメチルであり、各ｎは４０であり、ｕは４であり、各Ｒ１は基本的に１，４−フェニレン部分であり、各Ｒ２は、基本的にエチレン、１，２−プロピレン部分、又はこれらの混合物である。
ｇ  ワッカー（Wacker）からのＳＥ３９
ｈ  ジエチレントリアミン５酢酸。
ｉ  ローム・アンド・ハース（Rohm and Haas Co.）社から市販されるＫＡＴＨＯＮ（登録商標）ＣＧ。「ＰＰＭ」は「百万分率」。
ｊ  グルタルアルデヒド
ｋ  商品名ＤＣ２３１０でダウコーニング社（Dow Corning Corp.）から市販されるシリコーン消泡剤。
ｌ  ローム・アンド・ハース社（Rohm and Haas Co.）から商品名Ａｃｕｌａｎ４４で市販される、疎水的に改質されたエトキシル化ウレタン。
ｍ  シリコーン支援型送達（ＳＡＤ）システムを含むＰＡＤマトリックスシステム
＊＊  上記実施例１〜４の製品をキャップを有する容器からなる包装で包装する。包装は、前述のＰＡＤのいずれかを香料付与プラスチックインサートの形態で含み、キャップは前述のＰＡＤのいずれかをホットメルトの形態で含む。ホットメルトの形態のＰＡＤは通常、キャップの下又は近くに配する。
＊＊  下記実施例５〜６の製品はキャップ又はフタを有する容器からなる包装で包装する。包装は、前述のＰＡＤのいずれかを香料付与プラスチックインサートの形態で含み、フタは前述のＰＡＤのいずれかをホットメルトの形態で含む。例えばホットメルトの形態のＰＡＤはフタの下、箱、取っ手、ラベル上等に配することができる。香料付与プラスチックも包装の一部とすることができる。
【００９８】
（実施例５）：顆粒状洗剤組成物
香料送達システムを含有する強力顆粒状洗剤（ＨＤＧ）組成物を調製する。こうした顆粒状洗剤組成物は以下の配合を有する。
【表７】
2009537693.tif 000009
＊  残部
ｐ  ＰＥＩに基づくアミン反応生成物（ＡＲＰ）システムを含むプロ香料
ｑ  窒素系光プロ香料（ＰＰＰ）システムを含むプロ香料
ｒ  プロ香料は、香料アルコールを放出する３’，５’−ジメトキシベンゾイン誘導体である。
【００９９】
（実施例６）：
【表８】
2009537693.tif 000010
＊  残部
ｍ  シリコーン支援型送達（ＳＡＤ）システムを含むＰＡＤマトリックスシステム
【０１００】
（実施例７）：硬質面クリーニング組成物とともに用いられる不織パッドの形態の装置。
【０１０１】
以下は本発明において、特に米国特許第６，６６３，３０６  Ｂ２号に記載のクリーニングパッド、及び／又はクリーニング器具と組み合わせた場合に有用な硬質面クリーニング組成物の非限定的例である。
【表９】
2009537693.tif 000011
【表１０】
2009537693.tif 000012
１  シェルケミカル（Shell Chemical）社から市販されるＣ１１Ｅ５アルコールエトキシレート。
２  ウィトコケミカル（Witco Chemical）社から市販される直鎖Ｃ８スルホネート。
３  ヘンケル（Henkel）社から市販されるＣ８〜Ｃ１６アルキルポリグルコシド。
４  アンガスケミカル（Angus chemical）社から市販される２−ジメチルアミノ−２−メチル−１−プロパノール。
５  ダウケミカル（Dow Chemical）社から市販されるプロピレングリコールｎ−プロピルエーテル。
６  ダウコーニング（Dow Corning）社から商品名Ｄｏｗ  Ｃｏｒｎｉｎｇ  ＡＦ（登録商標）エマルジョンとして市販されるシリコーン泡抑制剤。
【０１０２】
実施例７では、上記の硬質面クリーニング組成物と組み合わせて使用される不織パッドの形態の装置は、下記に述べるものを含むが但しそれらに限定されない香料送達技術の組み合わせを更に所望により含んでもよい。溶液組成物中のＰＤＴの任意の組み合わせを、不織パッド組成物中のＰＤＴの組み合わせの任意のものと所望により組み合わせることができる。
【表１１】
2009537693.tif 000013
ｍ  シリコーン支援型送達（ＳＡＤ）システムを含むＰＡＤマトリックスシステム
ｐ  ＰＥＩに基づくアミン反応生成物（ＡＲＰ）システムを含むプロ香料
ｑ  窒素系光プロ香料（ＰＰＰ）システムを含むプロ香料
【表１２】
2009537693.tif 000014
＊  残部
＊＊  一態様における包装は、上記のＰＡＤマトリックスシステムをホットメルト接着剤又は香料付与プラスチックの形態で含む。
【０１０３】
（実施例８）
本発明の一態様では、香料送達システムは強力液体洗剤、及び／又は衣類強化剤において特に有用である。香料送達システムは以下からなる。
１）カチオン性、アニオン性、又は非イオン性ポリマーの形態のＰＡＤマトリックスシステム、及び／又はＡＡＤシステム。
２）香料マイクロカプセル（ＰＭＣ）の形態のＰＡＤリザーバシステム。
３）所望により添加される自由香料
【０１０４】
理論に束縛されものではないが、ＰＡＤマトリックスシステム、及び／又は１又は複数のＡＡＤシステムを含む香料送達技術（ＰＤＴ）は、香料と相互作用してＦＭＯＴ、ＳＭＯＴ、及びＴＭＯＴにおける香料の安定性、蓄積、及び放出を変化させることによって機能する。香料マイクロカプセル（ＰＭＣ）も又、香料と相互作用してＦＭＯＴ、ＳＭＯＴ、及びＴＭＯＴにおける香料の安定性、蓄積、及び放出を変化させる。驚くべきことに、１以上のＰＡＤマトリックスシステム、及び／又は１以上のＡＡＤシステムを、香料マイクロカプセル（ＰＭＣ）の形態の１以上のＰＡＤリザーバシステムと組み合わせた場合に特定の相乗効果が認められる。この効果は、それぞれのＰＤＴで別個に認められる効果よりも大きく、又、各効果の予想される組み合わせよりも大きい。本発明の一態様では、ＰＭＣは香料で予備充填してもよく、ＰＡＤマトリックスシステムのポリマーは香料で予備充填しても、香料とは別に製品に添加してもよい。理論に束縛されるものではないが、ＰＡＤマトリックスシステム、及び／又はＡＡＤシステムと香料マイクロカプセルとの組み合わせは、１以上の機能を有する。１つの機能は、ＰＡＤ、及び／又はＡＡＤ  ＰＤＴがＰＭＣの蓄積を増大させることである。第２の機能は、ＰＡＤ、及び／又はＡＡＤ  ＰＤＴがＰＭＣの存在によって利用可能な香料を「取り除く」うえで機能することである。理論に束縛されるものではないが、一部の香料は、製造、処理、精製、単離、出荷、他の成分との配合を含むＰＭＣのライフサイクルのいずれの段階においても、又、送達システム又は製品内での保存時にＰＭＣから「漏れ」出る可能性がある。理論に束縛されるものではないが、ＰＡＤ、及び／又はＡＡＤ  ＰＤＴは特定のＰＲＭ、特にＣＬｏｇＰが約３未満ＰＲＭ、及び／又はコバッツ・インデックス（ＫＩ）値が１５００未満ＰＲＭの送達を向上させるうえで特に効果的である。一部のＰＲＭは、特に製品の保存時、及び高温においてＰＭＣ内部に効果的に保持されない場合があり、こうしたＰＲＭはＰＭＣをＰＡＤ、及び／又はＡＡＤ  ＰＤＴと組み合わせることによってより効果的に送達することができる。したがって、ＰＤＴの組み合わせを用いなければ得られないような、ＦＭＯＴ、ＳＭＯＴ、及びＴＭＯＴにおける香料の強度、及び特性が得られるようにＰＭＣをＰＡＤ、及び／又はＡＡＤ  ＰＤＴと組み合わせることによって香料拡散安定性、香料、及びＰＤＴの部位蓄積量、及び香料放出プロファイルを調整することが可能である。理論に束縛されるものではないが、こうしたＰＲＭは、その一部が高インパクトであり、嗅覚閾値（ＯＤＴ）が低い場合があることから、ＰＭＣの非存在下でＰＡＤ、及び／又はＡＡＤ  ＰＤＴと組み合わせても効果的に送達されない。したがって、香料がＦＭＯＴにおける消費者体験に影響を及ぼさないように、通常はＰＭＣを用いて製品中に存在する自由香料の濃度を抑制することが求められる。他のＰＲＭは製品の保存時の安定性が制限されており、したがって理論に束縛されるものではないが、ＰＡＤ、及び／又はＡＡＤ  ＰＤＴは、自由香料として添加されるかあるいは時間とともにＰＭＣ又は他の香料送達システムから漏出又は拡散しうるこれ���のＰＲＭと相互作用することによってＰＲＭが更に分解されることを抑制するうえで機能する。
【０１０５】
（実施例９）
本発明の別の態様では、香料送達システムは強力液体洗剤、及び／又は衣類強化剤において特に有用である。香料送達システムは以下からなる。
１）カチオン性、アニオン性、又は非イオン性ポリマーの形態のＰＡＤマトリックスシステム、及び／又はＡＡＤシステム。
２）香料マイクロカプセル（ＰＭＣ）の形態のＰＡＤリザーバシステム。
３）所望により添加される自由香料
４）「製品又は包装の表面又は内部の」ＦＭＯＴ  ＰＤＴ
【０１０６】
ＦＭＯＴ  ＰＤＴ：理論に束縛されるものではないが、ＰＡＤホットメルト、及び／又はＰＡＤ香料付与プラスチック等のＦＭＯＴ  ＰＤＴは、ポリマー等の香料担体と相互作用して香料の化学安定性、及び香料の放出速度を変化させることによって機能し、これにより消費者の所望の強度、及び特性を与える。驚くべきことに、ＦＭＯＴ  ＰＤＴをＰＡＤ、及び／又はＡＡＤ  ＰＤＴ、及び／又はＰＭＣと、好ましくは更に自由香料と組み合わせて用いた場合に特定の相乗効果が認められる。理論に束縛されるものではないが、ＰＤＴの組み合わせは、ＰＡＤ、及び／又はＡＡＤ  ＰＤＴ、及び／又はＰＭＣと、予備充填又は別個に添加された香料との相互作用によって生ずる香り特性の変質を緩和するうえで機能する。ＦＭＯＴ  ＰＤＴの使用により、ＳＭＯＴ、及びＴＭＯＴにおいて最大の消費者効果が得られるよう香料と、ＰＡＤ、及び／又はＡＡＤ、及び／又はＰＭＣ  ＰＤＴとの組み合わせを最適化することが可能である。香料、及びＰＤＴの配合者にとって、すべての消費者接触点において理想的な香り強度、及び特性を得ることは困難な場合がある。ＦＭＯＴ  ＰＤＴの使用により、驚くことに、配合された香料、及びＰＤＴが未希釈の製品の匂い等のＦＭＯＴ体験に与えるインパクトが低減される。したがってこれにより香料の配合に関する制約の一部が解消され、配合者が特にＴＭＯＴにおけるインパクトが最大となるようにＰＡＤ、及び／又はＡＡＤ、及び／又はＰＭＣ  ＰＤＴを最適化することが可能となる。ＴＭＯＴの効果を最大化するために必要とされる未希釈の製品の匂いの変質はこのＰＤＴの組み合わせによって解消される。詳細には、ＦＭＯＴ  ＰＤＴに対するニーズは、ＦＭＯＴ  ＰＤＴによって緩和される、未希釈の製品の強度の予想外の減少、及び上記に述べた予想外の香料の相互作用に関連した特性の変化のため、ＰＡＤ、及び／又はＡＡＤ、及び／又はＰＭＣ  ＰＤＴの組み合わせと併用した場合に驚くことに最大となる。
【０１０７】
（実施例１０）
本発明の一態様では、香料送達システムは強力液体洗剤、及び／又は衣類強化剤において特に有用である。別の態様では香料送達システムは以下からなる。
１）（所望により）カチオン性ポリマー（ＰＡＤ、及び／又はＡＡＤ）
２）尿素又はメラミン／ホルムアルデヒドに基づいたＰＭＣ
３）自由香料
４）（所望により）製品のキャップ又はフタの上又は下に配されるホットメルト又は香料付与プラスチックインサート
【０１０８】
（実施例１１）
本発明の一態様では、香料送達システムは強力液体洗剤、及び／又は衣類強化剤において特に有用である。別の態様では香料送達システムは以下からなる。
１）（所望により）カチオン性ポリマー（ＰＡＤ、及び／又はＡＡＤ）
２）尿素又はメラミン／ホルムアルデヒドに基づいたＰＭＣ
３）自由香料
４）（所望により）製品のキャップ又はフタの上又は下に配されるホットメルト又は香料付与プラスチックインサート
５）光プロ香料（ＰＰＰ）
【０１０９】
理論に束縛されるものではないが、ＰＰＰ、ＰＭＣ、ＰＡＤ、ＡＡＤ、及びＡＰＡＤ  ＰＤＴは、香料と相互作用してＦＭＯＴ、ＳＭＯＴ、及びＴＭＯＴにおける香料の安定性、蓄積、及び放出を変化させる。驚くべきことに、ＰＰＰをＰＭＣ、及び／又はＰＡＤ、及び／又はＡＡＤ  ＰＤＴと組み合わせた場合に特定の相乗効果が認められる。詳細には、ＰＰＰ  ＰＤＴは、部位からのＰＲＭ放出が、ＰＭＣ、及び／又はＰＡＤ、及び／又はＡＡＤ  ＰＤＴで見られるＰＲＭ放出に対して相補的であるように選択することができる。詳細には、ＰＭＣ、及び／又はＰＡＤ、及び／又はＡＡＤ  ＰＤＴは広範なＰＲＭを部位に送達するには効果的であるものの、場合によっては、部位に存在する特定のＰＲＭの濃度が低すぎたり、部位の上方のヘッドスペースに放出する速度が遅すぎたりすると、所望の強度、及び特性が影響される。これは特に部位の乾燥から長時間が経過した後に特にあてはまりうる。出願人等は、ＰＰＰをＰＭＣ、及び／又はＰＡＤ  ＰＤＴと組み合わせて用いた場合にこうした特性、及び／又は強度が長期にわたって維持されることを驚くべきことに見出した。更に、ＰＭＣ、及びＰＡＤ、及び／又はＡＡＤ  ＰＤＴによってＰＰＰ  ＰＤＴの蓄積が増大する。やはり理論に束縛されるものではないが、ＰＭＣ、及び／又はＰＡＤ、及び／又はＡＡＤ  ＰＤＴはＰＰＰからの香料の乾燥部位からの放出プロファイルを変化させうる。理論に束縛されるものではないが、この予想外の結果は他のＰＤＴが、ＰＰＰと乾燥部位から放出されるＰＲＭとの相互作用を変化させることで、香料の放出性が変化することによると考えられる。
【０１１０】
（実施例１２）
本発明の一態様では、香料送達システムは洗濯用顆粒において特に有用である。別の態様では香料送達システムは以下からなる。
１）ＳＥＡ、及び
２）ＰＭＣ、及び
３）（所望により）スプレイ・オン香料、及び
４）（所望により）「製品又は包装の表面又は内部の」ＦＭＯＴ  ＰＤＴ
【０１１１】
理論に束縛されるものではないが、ＳＥＡとＰＭＣとの組み合わせを用いることで共生効果が得られることが驚くべきことに見出された。いずれのＰＤＴも消費者による使用前の揮発性香料の保持を改善するものであるが、ＳＥＡとＰＭＣの異なる放出プロファイルによっていずれかのＰＤＴを別々に用いるよりも優れた放出システムが可能となる。製品使用時のＳＥＡからの香料の放出が比較的早いのに対して、ＰＭＣからの放出は比較的遅い。乾燥部位からのブルームと誘発放出のこうした組み合わせによって使用体験の全体を通じた効果が得られる。
【０１１２】
（実施例１３）
本発明の一態様では、香料送達システムは洗濯用顆粒において特に有用である。別の態様では香料送達システムは以下からなる。
１）ＰＬＺ、及び／又はＰＬＴ、及び
２）ＰＭＣ、及び
３）（所望により）スプレイ・オン香料、及び
４）（所望により）「製品又は包装の表面又は内部の」ＦＭＯＴ  ＰＤＴ
５）（所望により）ＳＥＡ
【０１１３】
理論に束縛されるものではないが、ＰＬＺ、及び／又はＰＬＴとＰＭＣとの組み合わせを用いることで共生効果が得られることが驚くべきことに見出された。いずれのＰＤＴも消費者による使用前の揮発性香料の保持を改善するものであるが、特に乾燥部位からの、ＳＥＡとＰＭＣの異なる放出プロファイルによっていずれかのＰＤＴを別々に用いるよりも予想外に優れた放出システムが与えられる。理論に束縛されるものではないが、ＰＬＺ、及び／又はＰＬＴとＰＭＣの香料放出プロファイルは異なっている。ＰＬＺでは、水溶性コーティングが除去されて香料が乾燥部位のヘッドスペース内に拡散しはじめることで放出が引き起こされる。ＰＬＴでは、任意の末端キャップ基が除去されることによって、更に逆毛管現象による拡散によって放出が引き起こされる。ＰＭＣでは、所望により用いられる水溶性コーティングの除去、及び／又は乾燥部位のヘッドスペース内への拡散によってやはり放出が引き起こされる。各ＰＤＴはその技術と最も効果的に機能する香料アコードを送達するように最適化されている。ＰＬＺでは、ＰＲＭの選択は分子の大きさにも基づいて行われる。ＰＬＴでは、ＰＲＭの選択は、揮発性、嗅覚閾値、大きさ、及びコバッツ・インデックス（ＫＩ）値等の多くの因子に基づいている。ＰＭＣでは、壁の透過性又は漏出性が選択で考慮される。したがってこれらのＰＤＴの組み合わせによってより広範なＰＲＭについて所望の強度、及び特性を得ることができる。香料の拡散放出機構以外にも、ＰＭＣは摩擦誘因放出又は香料のバーストを与えるように選択することができ、これにより、より高い香料の強度と好ましい特性を得ることができる。好ましいＰＲＭの香料拡散と、別の放出機構による香料のバーストのこうした組み合わせにより、期待される効果よりも予想以上に向上した効果が得られる。
【０１１４】
（実施例１４）
本発明の一態様では、香料送達システムは洗濯用顆粒において特に有用である。別の態様では香料送達システムは以下からなる。
１）ＰＬＺ、ＳＥＡ、ＣＤ、ＰＭＣから選択されるＰＤＴ
２）（所望により）スプレイ・オン香料、及び
３）「製品又は包装の表面又は内部の」ＦＭＯＴ  ＰＤＴ
【０１１５】
洗濯用顆粒は閉鎖型の容器のために香りにくい。製品又は包装の外側に配されるＦＭＯＴ  ＰＤＴはＦＭＯＴの香りの強度、及び特性を与えるものである。別の態様では、包装の内側におけるＦＭＯＴ  ＰＤＴの存在により他のＰＤＴとの予想外の相乗効果を与える。
【０１１６】
（実施例１５）
本発明の一態様では、香料送達システムは洗濯用顆粒において特に有用である。別の態様では香料送達システムは以下からなる。
１）ナノチューブ（ＰＬＴ）、及び
２）香料マイクロカプセル（ＰＭＣ）、及び
３）（所望により）スプレイ・オン香料、及び
４）（所望により）「製品又は包装の表面又は内部の」ＦＭＯＴ  ＰＤＴ
５）（所望により）ＳＥＡ
【０１１７】
（実施例１６）
本発明の一態様では、香料送達システムは衣類用柔軟剤シートにおいて特に有用である。別の態様では香料送達システムは以下からなる。
１）シクロデキストリン（ＣＤ）、及び
２）香料マイクロカプセル（ＰＭＣ）、及び
３）（所望により）未希釈の香料、及び
４）（所望により）「製品又は包装の表面又は内部の」ＦＭＯＴ  ＰＤＴ
５）（所望により）ＳＥＡ
【０１１８】
（実施例１７）
本発明の一態様では、香料送達システムは衣類用柔軟剤において特に有用である。別の態様では香料送達システムは以下からなる。
１）ヘキサロース（パルミチン酸ゲラニル）０．２５％、及び
２）香料マイクロカプセル（ＰＭＣ）１．３％、及び
３）（所望により）未希釈の香料０．６％、
４）（所望により）「製品又は包装の表面又は内部の」ＦＭＯＴ  ＰＤＴ
５）（所望により）ＳＥＡ
【０１１９】
この実施例１７に列記された比率はすべて、容器、及び／又は包装とは関係なく全製品重量に基づいたものである。
【０１２０】
上記の成分の重量比率は所望により変更することができる。例えば、ヘキサロース（（Ｅ）−３，７−ジメチル−２，６−オクタジエニルヘキサデカノエートとしても知られる）は、約０．０５％〜約１０％、約０．１％〜約１％、更には約０．２５％〜約０．７５％の濃度で存在してよく、ＰＭＣは約０．０５％〜約１０％、約０．１％〜約３％、更には約０．３％〜約１．５％の濃度で存在してよく、未希釈の香料は、約０．０１％〜約１０％、約０．１％〜約３％、更には約０．５％〜約１．５％の濃度で存在してよい。上記の香料送達システムは、例えばリパーゼをほとんどあるいはまったく含まない製品のような、他のクリーニング、及び／又はトリートメント製品等の他の消費者製品で使用することができる。更に、ヘキサロースに代えて他のテルペンエステルを用いてもよく、更にはβ−ケトエステルを用いることもできる。好適なテルペンエステルは米国特許第５，６５２，２０５号の教示に基づいて製造することができる。例えばヘキサロースは、米国特許第５，６２５，２０５号の実施例Ｉの教示にしたがい、コハク酸をパルミチン酸に置き換えることで、あるいは、米国特許第５，６５２，２０５号の実施例ＩＩの教示にしたがい、塩化ラウロイルを塩化パルミトイルに置き換えることで製造することができる。好適なβ−ケトエステルは米国特許第６，１００，２３３号、及び同第５，９６５，７６７号の教示に基づいて製造することができる。
【０１２１】
（実施例１８）
本発明の一態様では、香料送達システムはヘアシャンプーにおいて特に有用である。別の態様では香料送達システムは以下からなる。
【表１３】
2009537693.tif 000015
＊  残部
＊＊  包装の表面上又は内部のホットメルト、及び／又は香料付与プラスチックは配合組成物の残部に含まれない。本実施例では、ＦＭＯＴ技術はキャップの上又は下に配される。
ｍ  シリコーン支援型送達（ＳＡＤ）システムを含むＰＡＤマトリックスシステム
【０１２２】
（実施例１９）
本発明の一態様では、香料送達システムはヘアコンディショナーにおいて特に有用である。別の態様では香料送達システムは以下からなる。
【表１４】
2009537693.tif 000016
５  アマーコル（Amercol）社より販売されるＪＲ３０Ｍ
６  ローヌ・プーラン（Rhone-Poulenc）社より販売されるＪａｇｕａｒ  Ｃ−１７
７  モービルケミカル（Mobil Chemical）社より販売されるＳＨＦ６２
８  ジメチコンはゼネラルエレクトリック・シリコーンズ・ディビジョン（General Electric Silicones Division）より販売されるＳＥ−７６ジメチコンガムと粘度が０．０００３５ｍ２／ｓ（３５０センチストローク）であるジメチコン液との重量比４０（ガム）／６０（液）の混合物。
９  残部
１０  包装の表面上又は内部のホットメルト、及び／又は香料付与プラスチックは配合組成物の残部に含まれない。本実施例では、ＦＭＯＴ技術はキャップの上又は下に配される。
【０１２３】
（実施例２０）
本発明の一態様では、香料送達システムはボディーウォッシュにおいて特に有用である。別の態様では香料送達システムは以下からなる。
【表１５】
2009537693.tif 000017
＊  残部
＊＊  包装の表面上又は内部のホットメルト、及び／又は香料付与プラスチックは配合組成物の残部に含まれない。本実施例では、ＦＭＯＴ技術はキャップの上又は下に配される。
ｍ  シリコーン支援型送達（ＳＡＤ）システムを含むＰＡＤマトリックスシステム
ｑ  クマリン誘導体、及び香料アルデヒドを放出する窒素系光プロ香料（ＰＰＰ）システムを含むプロ香料。
クマリン誘導体、及び香料アルコールを放出するエステル系光プロ香料（ＰＰＰ）システムを含むプロ香料。
【０１２４】
（実施例２１）
本発明の一態様では、香料送達システムは制汗剤／デオドラントにおいて特に有用である。別の態様では香料送達システムは以下からなる。
【表１６】
2009537693.tif 000018
＊  残部
【表１７】
2009537693.tif 000019
＊  残部
【０１２５】
（実施例２２）
本発明の一態様では、香料送達システムは透明固形制汗スティック（Invisible Solid Antiperspirant Stick）において特に有用である。別の態様では香料送達システムは以下からなる。
【表１８】
2009537693.tif 000020
＊  残部
【０１２６】
（実施例２３）
本発明の一態様では、香料送達システムはクリーム制汗スティックにおいて特に有用である。別の態様では香料送達システムは以下からなる。
【表１９】
2009537693.tif 000021
＊  残部
１  塩化金属に対する金属の比＝１．２５、７５％無水無緩衝活性レベル（ウェストウッドケミカル（Westwood Chemical Co.）社）
２  米国特許出願第２００６／０２６３３１３号に記載の香料。
ｍ  シリコーン支援型送達（ＳＡＤ）システムを含むＰＡＤマトリックスシステム
【０１２７】
（実施例２４）
本発明の一態様では、香料送達システムはフレグランスオイル／ファインフレグランス組成物において特に有用である。別の態様では香料送達システムは以下からなる。
【表２０】
2009537693.tif 000022
ｍ  シリコーン支援型送達（ＳＡＤ）システムを含むＰＡＤマトリックスシステム
【表２１】
2009537693.tif 000023
３  米国特許出願第２００７／００３７７３１Ａ１号の実施例Ｉ〜Ｖから選択されるフレグランス。
４  ワッカーケミー（Wacker-Chemie GmbH）社（Hanns-Seidel-Platz 4、ミュンヘン、ドイツ）から販売されるベータＷ７Ｍ。
【０１２８】
「発明を実施するための最良の形態」において引用した文献は、そのすべてをその関連部分において本明細書に援用するものである。いずれの文献の引用もこうした引用が本発明に対する先行技術であることを容認するものとして解釈されるべきではない。本書における用語の任意の意味又は定義が、援用された文献における同一の用語の任意の意味又は定義と矛盾する限りにおいて、本書においてその用語に与えられた意味又は定義が優先するものとする。
【０１２９】
以上、本発明の特定の実施形態を説明、及び記述してきたが、本発明の趣旨、及び範囲から逸脱することなく他の様々な変更、及び改変が可能であることは当業者には自明であろう。したがって本発明の範囲に含まれるすべてのこうした変更、及び改変を添付の特許請求の範囲において網羅するものである。
【国際調査報告】
2009537693.tif 000024
2009537693.tif 000025
2009537693.tif 000026